(57)【特許請求の範囲】
【請求項１】
基地局装置と通信を行なう移動局装置であって、
無線リソース制御信号を用いて、物理上りリンク制御チャネルの設定に関する情報およびサウンディング参照信号の設定に関する情報を、前記基地局装置から受信する手段と、
物理下りリンク制御チャネルを用いて、サウンディング参照信号の送信を指示する情報を、前記基地局装置から受信する手段と、
チャネル状態情報とＨＡＲＱ−ＡＣＫをともに、前記物理上りリンク制御チャネルの設定に関する情報に基づいて設定された物理上りリンク制御チャネルを用いて、前記基地局装置へ送信する手段と、
前記サウンディング参照信号の送信を指示する情報に基づいて、前記サウンディング参照信号の設定に関する情報に基づいて設定されたサウンディング参照信号を、前記基地局装置へ送信する手段と、
前記サウンディング参照信号と、前記チャネル状態情報と前記ＨＡＲＱ−ＡＣＫの送信に用いられる物理上りリンク制御チャネルと、が同じサブフレームで生じる場合、前記サウンディング参照信号の送信をドロップする手段と、を有することを特徴とする移動局装置。
【請求項２】
少なくとも２つのコンポーネントキャリアを用いて基地局装置と通信を行なう移動局装置であって、
無線リソース制御信号を用いて、物理上りリンク制御チャネルの設定に関する情報、サウンディング参照信号の設定に関する情報および第１の情報を、前記基地局装置から受信する手段と、
前記物理上りリンク制御チャネルに関する情報に基づいて設定された物理上りリンク制御チャネルを用いて、上りリンク制御情報を、前記基地局装置へ送信する手段と、
前記サウンディング参照信号の設定に関する情報に基づいて設定されたサウンディング参照信号を、前記基地局装置へ送信する手段と、
前記第１の情報が設定されており、且つ、異なるコンポーネントキャリアで、前記サウンディング参照信号の送信と前記物理上りリンク制御チャネルを用いた送信とが同じタイミングで生じる場合に、前記サウンディング参照信号の送信と前記物理上りリンク制御チャネルを用いた送信との送信電力の合計が、前記移動局装置の最大送信電力を超えているならば、前記サウンディング参照信号の送信をドロップする手段と、を有することを特徴とする移動局装置。
【請求項３】
前記第１の情報が設定されており、且つ、異なるコンポーネントキャリアで、前記サウンディング参照信号の送信と前記物理上りリンク制御チャネルを用いた送信とが同じタイミングで生じる場合に、前記サウンディング参照信号の送信と前記物理上りリンク制御チャネルを用いた送信との送信電力の合計が、前記移動局装置の最大送信電力を超えていないならば、前記サウンディング参照信号の送信と前記物理上りリンク制御チャネルを用いた送信と、を行なう手段と、を有することを特徴とする請求項２に記載の移動局装置。
【請求項４】
少なくとも２つのコンポーネントキャリアを用いて基地局装置と通信を行なう移動局装置であって、
無線リソース制御信号を用いて、物理上りリンク制御チャネルの設定に関する情報、第１のサウンディング参照信号の設定に関する情報および第１の情報を、前記基地局装置から受信する手段と、
物理下りリンク制御チャネルを用いて、第１のサウンディング参照信号の送信を指示する情報を、前記基地局装置から受信する手段と、
前記物理上りリンク制御チャネルの設定に関する情報に基づいて設定された物理上りリンク制御チャネルを用いて、上りリンク制御情報を、前記基地局装置へ送信する手段と、
前記第１のサウンディング参照信号の送信を指示する情報に基づいて、前記第１のサウンディング参照信号の設定に関する情報に基づいて設定された第１のサウンディング参照信号を、前記基地局装置へ送信する手段と、
前記第１の情報が設定されており、且つ、異なるコンポーネントキャリアで、前記第１のサウンディング参照信号の送信と前記物理上りリンク制御チャネルを用いた送信とが同じタイミングで生じる場合に、前記第１のサウンディング参照信号の送信と前記物理上りリンク制御チャネルを用いた送信との送信電力の合計が、前記移動局装置の最大送信電力を超えているならば、前記第１のサウンディング参照信号の送信をドロップする手段と、を有することを特徴とする移動局装置。
【請求項５】
前記第１の情報が設定されており、且つ、異なるコンポーネントキャリアで、前記第１のサウンディング参照信号の送信と前記物理上りリンク制御チャネルを用いた送信とが同じタイミングで生じる場合に、前記第１のサウンディング参照信号の送信と前記物理上りリンク制御チャネルを用いた送信との送信電力の合計が、前記移動局装置の最大送信電力を超えていないならば、前記第１のサウンディング参照信号の送信と前記物理上りリンク制御チャネルを用いた送信と、を行なう手段と、を有することを特徴とする請求項４に記載の移動局装置。
【請求項６】
無線リソース制御信号を用いて、第２のサウンディング参照信号の設定に関する情報を、前記基地局装置から受信する手段と、
前記第２のサウンディング参照信号の設定に関する情報に基づいて設定された第２のサウンディング参照信号を、前記基地局装置へ送信する手段と、
前記第１の情報が設定されており、且つ、異なるコンポーネントキャリアで、前記第１のサウンディング参照信号の送信と前記第２のサウンディング参照信号の送信と前記物理上りリンク制御チャネルを用いた送信とが同じタイミングで生じる場合に、前記第１のサウンディング参照信号の送信と前記第２のサウンディング参照信号の送信と前記物理上りリンク制御チャネルを用いた送信との送信電力の合計が、前記移動局装置の最大送信電力を超えているならば、前記第１のサウンディング参照信号の送信および前記第２のサウンディング参照信号の送信をドロップする手段と、を有することを特徴とする請求項４または請求項５に記載の移動局装置。
【請求項７】
前記第１の情報が設定されており、且つ、異なるコンポーネントキャリアで、前記第１のサウンディング参照信号の送信と前記第２のサウンディング参照信号の送信と前記物理上りリンク制御チャネルを用いた送信とが同じタイミングで生じる場合に、前記第１のサウンディング参照信号の送信と前記第２のサウンディング参照信号と前記物理上りリンク制御チャネルを用いた送信との送信電力の合計が、前記移動局装置の最大送信電力を超えていないならば、前記第１のサウンディング参照信号の送信と前記第２のサウンディング参照信号の送信と前記物理上りリンク制御チャネルを用いた送信と、を行なう手段と、を有することを特徴とする請求項４乃至６のいずれか１項に記載の移動局装置。
【請求項８】
前記タイミングは、サブフレームまたはシンボルであることを特徴とする請求項２乃至７のいずれか１項に記載の移動局装置。
【請求項９】
前記上りリンク制御情報は、ＨＡＲＱ−ＡＣＫを含むことを特徴とする請求項２乃至７のいずれか１項に記載の移動局装置。
【請求項１０】
前記上りリンク制御情報は、スケジューリングリクエストを含むことを特徴とする請求項２乃至７のいずれか１項に記載の移動局装置。
【請求項１１】
前記上りリンク制御情報は、チャネル状態情報を含むことを特徴とする請求項２乃至７のいずれか１項に記載の移動局装置。
【請求項１２】
基地局装置と通信を行なう移動局装置の無線通信方法であって、
無線リソース制御信号を用いて、物理上りリンク制御チャネルの設定に関する情報およびサウンディング参照信号の設定に関する情報を、前記基地局装置から受信するステップと、
物理下りリンク制御チャネルを用いて、サウンディング参照信号の送信を指示する情報を、前記基地局装置から受信するステップと、
チャネル状態情報とＨＡＲＱ−ＡＣＫをともに、前記物理上りリンク制御チャネルの設定に関する情報に基づいて設定された物理上りリンク制御チャネルを用いて、前記基地局装置へ送信するステップと、
前記サウンディング参照信号の送信を指示する情報に基づいて、前記サウンディング参照信号の設定に関する情報に基づいて設定されたサウンディング参照信号を、前記基地局装置へ送信するステップと、
前記サウンディング参照信号の送信と、前記チャネル状態情報と前記ＨＡＲＱ−ＡＣＫの送信に用いられる物理上りリンク制御チャネルとが、同じサブフレームで生じる場合、前記サウンディング参照信号の送信をドロップするステップと、を含むことを特徴とする無線通信方法。
【請求項１３】
少なくとも２つのコンポーネントキャリアを用いて基地局装置と通信を行なう移動局装置の無線通信方法であって、
無線リソース制御信号を用いて、物理上りリンク制御チャネルの設定に関する情報、サウンディング参照信号の設定に関する情報および第１の情報を、前記基地局装置から受信するステップと、
前記物理上りリンク制御チャネルに関する情報に基づいて設定された物理上りリンク制御チャネルを用いて、上りリンク制御情報を、前記基地局装置へ送信するステップと、
前記サウンディング参照信号の設定に関する情報に基づいて設定されたサウンディング参照信号を、前記基地局装置へ送信するステップと、
前記第１の情報が設定されており、且つ、異なるコンポーネントキャリアで、前記サウンディング参照信号の送信と前記物理上りリンク制御チャネルを用いた送信とが同じタイミングで生じる場合に、前記サウンディング参照信号の送信と前記物理上りリンク制御チャネルを用いた送信との送信電力の合計が、前記移動局装置の最大送信電力を超えているならば、前記サウンディング参照信号の送信をドロップするステップと、を含むことを特徴とする無線通信方法。
【請求項１４】
少なくとも２つのコンポーネントキャリアを用いて基地局装置と通信を行なう移動局装置の無線通信方法であって、
無線リソース制御信号を用いて、物理上りリンク制御チャネルの設定に関する情報、第１のサウンディング参照信号の設定に関する情報および第１の情報を、前記基地局装置から受信するステップと、
物理下りリンク制御チャネルを用いて、第１のサウンディング参照信号の送信を指示する情報を、前記基地局装置から受信するステップと、
前記物理上りリンク制御チャネルの設定に関する情報に基づいて設定された物理上りリンク制御チャネルを用いて、上りリンク制御情報を、前記基地局装置へ送信するステップと、
前記第１のサウンディング参照信号の送信を指示する情報に基づいて、前記第１のサウンディング参照信号の設定に関する情報に基づいて設定された第１のサウンディング参照信号を、前記基地局装置へ送信するステップと、
前記第１の情報が設定されており、且つ、異なるコンポーネントキャリアで、前記第１のサウンディング参照信号の送信と前記第２のサウンディング参照信号の送信と前記物理上りリンク制御チャネルを用いた送信とが同じタイミングで生じる場合に、前記第１のサウンディング参照信号の送信と前記第２のサウンディング参照信号の送信と前記物理上りリンク制御チャネルを用いた送信との送信電力の合計が、前記移動局装置の最大送信電力を超えているならば、前記第１のサウンディング参照信号の送信をドロップするステップと、を含むことを特徴とする無線通信方法。
【請求項１５】
無線リソース制御信号を用いて、第２のサウンディング参照信号の設定に関する情報を、前記基地局装置から受信するステップと、
前記第２のサウンディング参照信号の設定に関する情報に基づいて設定された第２のサウンディング参照信号を、前記基地局装置へ送信するステップと、
前記第１の情報が設定されており、且つ、異なるコンポーネントキャリアで、前記第１のサウンディング参照信号の送信と前記第２のサウンディング参照信号の送信と前記物理上りリンク制御チャネルを用いた送信とが同じタイミングで生じる場合に、前記第１のサウンディング参照信号の送信と前記第２のサウンディング参照信号の送信と前記物理上りリンク制御チャネルを用いた送信との送信電力の合計が、前記移動局装置の最大送信電力を超えているならば、前記第１のサウンディング参照信号の送信および前記第２のサウンディング参照信号の送信をドロップするステップと、を含むことを特徴とする請求項１４に記載の無線通信方法。
【請求項１６】
基地局装置と通信を行なう移動局装置に実装されることにより、前記移動局装置に複数の機能を発揮させる集積回路であって、
無線リソース制御信号を用いて、物理上りリンク制御チャネルの設定に関する情報およびサウンディング参照信号の設定に関する情報を、前記基地局装置から受信する手段と、
物理下りリンク制御チャネルを用いて、サウンディング参照信号の送信を指示する情報を、受信する機能と、
チャネル状態情報とＨＡＲＱ−ＡＣＫをともに、前記物理上りリンク制御チャネルの設定に関する情報に基づいて設定された物理上りリンク制御チャネルを用いて、送信する機能と、
前記サウンディング参照信号の送信を指示する情報に基づいて、前記サウンディング参照信号の設定に関する情報に基づいて設定されたサウンディング参照信号を、送信する機能と、
前記サウンディング参照信号と、前記チャネル状態情報と前記ＨＡＲＱ−ＡＣＫの送信に用いられる物理上りリンク制御チャネルと、が同じサブフレームで生じる場合、前記サウンディング参照信号の送信をドロップする機能と、を前記移動局装置に発揮させることを特徴とする集積回路。
【請求項１７】
少なくとも２つのコンポーネントキャリアを用いて基地局装置と通信を行なう移動局装置に実装されることにより、前記移動局装置に複数の機能を発揮させる集積回路であって、
無線リソース制御信号を用いて、物理上りリンク制御チャネルの設定に関する情報、サウンディング参照信号の設定に関する情報および第１の情報を、受信する機能と、
前記物理上りリンク制御チャネルに関する情報に基づいて設定された物理上りリンク制御チャネルを用いて、上りリンク制御情報を、送信する機能と、
前記サウンディング参照信号の設定に関する情報に基づいて設定されたサウンディング参照信号を、送信する機能と、
前記第１の情報が設定されており、且つ、異なるコンポーネントキャリアで、前記サウンディング参照信号の送信と前記物理上りリンク制御チャネルを用いた送信とが同じタイミングで生じる場合に、前記サウンディング参照信号の送信と前記物理上りリンク制御チャネルを用いた送信との送信電力の合計が、前記移動局装置の最大送信電力を超えているならば、前記サウンディング参照信号の送信をドロップする機能と、を前記移動局装置に発揮させることを特徴とする集積回路。
【請求項１８】
少なくとも２つのコンポーネントキャリアを用いて基地局装置と通信を行なう移動局装置に実装されることにより、前記移動局装置に複数の機能を発揮させる集積回路であって、
無線リソース制御信号を用いて、物理上りリンク制御チャネルの設定に関する情報、第１のサウンディング参照信号の設定に関する情報および第１の情報を、受信する機能と、
物理下りリンク制御チャネルを用いて、第１のサウンディング参照信号の送信を指示する情報を、受信する機能と、
前記物理上りリンク制御チャネルの設定に関する情報に基づいて設定された物理上りリンク制御チャネルを用いて、上りリンク制御情報を、前記基地局装置へ送信する機能と、
前記第１のサウンディング参照信号の送信を指示する情報に基づいて、前記第１のサウンディング参照信号の設定に関する情報に基づいて設定された第１のサウンディング参照信号を、送信する機能と、
前記第１の情報が設定されており、且つ、異なるコンポーネントキャリアで、前記第１のサウンディング参照信号の送信と前記物理上りリンク制御チャネルを用いた送信とが同じタイミングで生じる場合に、前記第１のサウンディング参照信号の送信と前記物理上りリンク制御チャネルを用いた送信との送信電力の合計が、前記移動局装置の最大送信電力を超えているならば、前記第１のサウンディング参照信号の送信をドロップする機能と、を前記移動局装置に発揮させることを特徴とする集積回路。
【請求項１９】
少なくとも２つのコンポーネントキャリアを用いて基地局装置と通信を行なう移動局装置に実装されることにより、前記移動局装置に複数の機能を発揮させる集積回路であって、
前記第２のサウンディング参照信号の設定に関する情報に基づいて設定された第２のサウンディング参照信号を、送信する機能と、
前記第１の情報が設定されており、且つ、異なるコンポーネントキャリアで、前記第１のサウンディング参照信号の送信と前記第２のサウンディング参照信号の送信と前記物理上りリンク制御チャネルを用いた送信とが同じタイミングで生じる場合に、前記第１のサウンディング参照信号の送信と前記第２のサウンディング参照信号の送信と前記物理上りリンク制御チャネルを用いた送信との送信電力の合計が、前記移動局装置の最大送信電力を超えているならば、前記第１のサウンディング参照信号の送信および前記第２のサウンディング参照信号の送信をドロップする機能と、を前記移動局装置に発揮させることを特徴とする請求項１８に記載の集積回路。
【発明の詳細な説明】
【技術分野】
【０００１】
本発明は、移動局装置と基地局装置から構成される無線通信システムに関し、特に、移動局装置の複数のチャネル測定用の参照信号の送信制御方法に関する。
【背景技術】
【０００２】
従来から、セルラー移動通信の無線アクセス方式および無線ネットワークの進化（以下、「Long Term Evolution (LTE)」、または、「Evolved Universal Terrestrial Radio Access (EUTRA)」と称する。）、および、ＬＴＥより広帯域な周波数帯域を利用して、さ
らに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と称する。）が、第三世代パートナーシッププロジ
ェクト（3rd Generation Partnership Project; 3GPP）において検討されている。
【０００３】
ＬＴＥ−Ａでは、ＬＴＥとの後方互換性(backward compatibility)を持つこと、つまり、ＬＴＥ−Ａの基地局装置が、ＬＴＥ−ＡおよびＬＴＥ両方の移動局装置と同時に無線通信を行ない、また、ＬＴＥ−Ａの移動局装置が、ＬＴＥ−ＡおよびＬＴＥ両方の基地局装置と無線通信を行なえるようにすることが求められており、ＬＴＥ−ＡはＬＴＥと同一のチャネル構造を用いることが検討されている。例えば、ＬＴＥ−Ａでは、ＬＴＥと同一のチャネル構造の周波数帯域であるコンポーネントキャリア（Component Carrier; CC）を
複数用いて、１つの周波数帯域（広帯域な周波数帯域）として使用する技術（周波数帯域集約：Spectrum aggregation、Carrier aggregation、Frequency aggregation等とも称される）が提案されている（非特許文献１）。
【０００４】
また、ＬＴＥ−Ａでは、基地局装置が設定した周期的なタイミングで送信されるチャネル測定用の参照信号の他に、基地局装置から送信要求が通知された時にだけ送信されるチャネル測定用の参照信号が提案されている（非特許文献２）。
【先行技術文献】
【非特許文献】
【０００５】
【非特許文献１】Ericsson,R1-082468,3GPP TSG-RAN1 Meeting #53bis,Warsaw,Poland,June 30-July 4,2008
【非特許文献２】Nokia Siemens Networks,R1-094653,3GPPTSG-RAN1 Meeting#59,Jeju,Korea,Nov 9- 13,2009
【発明の概要】
【発明が解決しようとする課題】
【０００６】
しかしながら、物理下りリンク制御チャネルを使用して送信が指示されるチャネル測定用の第１の参照信号の送信と無線リソース制御信号を使用して送信が指示されるチャネル測定用の第２の参照信号の送信は、異なる下りリンク信号（無線リソース制御信号や物理下りリンク制御チャネル）で第１の参照信号の送信と第２の参照信号の送信が指示されるため、第１の参照信号の送信と第２の参照信号の送信が同じタイミングで生じることがあり、同じタイミングで複数のチャネル測定用の参照信号が１つの移動局装置から同時に送信されると、チャネル測定用の参照信号のチャネル測定精度を劣化させる場合がある。また、物理上りリンク制御チャネルも無線リソース制御信号を使用して送信が指示されるため、チャネル測定用の参照信号と物理上りリンク制御チャネルの送信も同じタイミングで生じると上りリンク信号の通信品質を劣化させる場合がある。
【０００７】
本発明は上記の点を鑑みてなされたものであり、チャネル測定精度を劣化させずに、チャネル測定用の第１の参照信号の送信と第２の参照信号の送信とを効率的に行なうと共に、通信品質を劣化させずに、チャネル測定用の第１の参照信号の送信と第２の参照信号の送信と物理上りリンク制御チャネルでの送信とを効率的に行なうことのできる移動局装置、基地局装置、無線通信システムおよび無線通信方法を提供することを目的とする。
【課題を解決するための手段】
【０００８】
（１）上記の目的を達成するために、本発明は、以下のような手段を講じた。すなわち、本発明の無線通信システムは、基地局装置と移動局装置とが無線通信を行なう無線通信システムであって、前記基地局装置は、チャネル測定用の第１の参照信号の送信を指示する情報を含む物理下りリンク制御チャネル、およびチャネル測定用の第２の参照信号の送信を指示する情報を含む無線リソース制御信号を前記移動局装置に送信し、前記移動局装置は、前記物理下りリンク制御チャネルに前記第１の参照信号の送信を指示する情報が含まれている場合には、前記第１の参照信号を前記基地局装置に送信し、前記無線リソース制御信号に含まれる前記第２の参照信号の送信を指示する情報に従って、前記第２の参照信号を前記基地局装置に送信し、前記第１の参照信号の送信と前記第２の参照信号の送信とが同じタイミングで生じた場合、前記第１の参照信号の送信を行なう一方、前記第１の参照信号の送信と前記第２の参照信号の送信とが同じタイミングで異なるコンポーネントキャリアに生じた場合、前記第１の参照信号の送信と前記第２の参照信号の送信とを同時に行なうことを特徴とする。
【０００９】
このように、移動局装置は、第１の参照信号の送信と第２の参照信号の送信とが同じタイミングで生じた場合、第１の参照信号の送信を行なう一方、第１の参照信号の送信と第２の参照信号の送信とが同じタイミングで異なるコンポーネントキャリアに生じた場合、第１の参照信号の送信と第２の参照信号の送信とを同時に行なうので、両参照信号が干渉しあい、基地局装置において両参照信号のチャネル測定精度が劣化することを簡単な処理で回避することができる。
【００１０】
（２）本発明の無線通信システムは、基地局装置と移動局装置とが無線通信を行なう無線通信システムであって、前記基地局装置は、物理上りリンク制御チャネルでの送信を指示する情報を含む無線リソース制御信号、およびチャネル測定用の第１の参照信号の送信を指示する情報を含む物理下りリンク制御チャネルを前記移動局装置に送信し、前記移動局装置は、前記無線リソース制御信号に含まれる前記物理上りリンク制御チャネルでの送信を指示する情報に従って、前記物理上りリンク制御チャネルを使用して上りリンク制御情報を前記基地局装置に送信し、前記物理下りリンク制御チャネルに前記第１の参照信号の送信を指示する情報が含まれている場合には、前記第１の参照信号を前記基地局装置に送信し、前記第１の参照信号の送信と前記物理上りリンク制御チャネルでの前記上りリンク制御情報の送信とが同じタイミングで生じた場合、前記物理上りリンク制御チャネルでの前記上りリンク制御情報の送信を行なうことを特徴とする。
【００１１】
このように、移動局装置は、第１の参照信号の送信と物理上りリンク制御チャネルでの上りリンク制御情報の送信とが同じタイミングで生じた場合、物理上りリンク制御チャネルでの上りリンク制御情報の送信を行なうので、物理上りリンク制御チャネルの通信品質を維持することができる。また、第１の参照信号の送信と物理上りリンク制御チャネルでの送信を効率的に行うことができる。
【００１２】
（３）また、本発明の無線通信システムにおいて、前記移動局装置は、前記第１の参照信号の送信と前記物理上りリンク制御チャネルでの前記上りリンク制御情報の送信とが同じタイミングで異なるコンポーネントキャリアに生じた場合、前記第１の参照信号の送信と前記物理上りリンク制御チャネルで前記上りリンク制御情報の送信とを同時に行なうことを特徴とする。
【００１３】
このように、移動局装置は、第１の参照信号の送信と物理上りリンク制御チャネルでの上りリンク制御情報の送信とが同じタイミングで異なるコンポーネントキャリアに生じた場合、第１の参照信号の送信と物理上りリンク制御チャネルで上りリンク制御情報の送信とを同時に行なうので、第１の参照信号の送信と物理上りリンク制御チャネルでの送信を効率的に行うことができる。
【００１４】
（４）また、本発明の無線通信システムにおいて、前記移動局装置は、前記第１の参照信号の送信と前記物理上りリンク制御チャネルでの前記上りリンク制御情報の送信とが同じタイミングで同じコンポーネントキャリアに生じた場合、前記物理上りリンク制御チャネルでの前記上りリンク制御情報の送信を行なう一方、前記第１の参照信号の送信と前記物理上りリンク制御チャネルでの前記上りリンク制御情報の送信とが同じタイミングで異なるコンポーネントキャリアに生じた場合、前記第１の参照信号の送信と前記物理上りリンク制御チャネルでの前記上りリンク制御情報の送信とを同時に行なうことを特徴とする。
【００１５】
このように、移動局装置は、第１の参照信号の送信と物理上りリンク制御チャネルでの上りリンク制御情報の送信とが同じタイミングで同じコンポーネントキャリアに生じた場合、物理上りリンク制御チャネルでの上りリンク制御情報の送信を行なう一方、第１の参照信号の送信と物理上りリンク制御チャネルでの上りリンク制御情報の送信とが同じタイミングで異なるコンポーネントキャリアに生じた場合、第１の参照信号の送信と物理上りリンク制御チャネルでの上りリンク制御情報の送信とを同時に行なうので、第１の参照信号の送信と物理上りリンク制御チャネルでの送信を効率的に行うことができる。
【００１６】
（５）また、本発明の無線通信システムは、基地局装置と移動局装置とが無線通信を行なう無線通信システムであって、前記基地局装置は、チャネル測定用の第１の参照信号の送信を指示する情報を含む物理下りリンク制御チャネル、チャネル測定用の第２の参照信号の送信を指示する情報を含む無線リソース制御信号、および物理上りリンク制御チャネルでの送信を指示する情報を含む無線リソース制御信号を前記移動局装置に送信し、前記移動局装置は、前記物理下りリンク制御チャネルに前記第１の参照信号の送信を指示する情報が含まれている場合には、前記第１の参照信号を前記基地局装置に送信し、前記無線リソース制御信号に含まれる前記第２の参照信号の送信を指示する情報に従って、前記第２の参照信号を前記基地局装置に送信し、前記無線リソース制御信号に含まれる前記物理上りリンク制御チャネルでの送信を指示する情報に従って、前記物理上りリンク制御チャネルを使用して上りリンク制御情報を前記基地局装置に送信し、前記第１の参照信号の送信と前記第２の参照信号の送信と前記物理上りリンク制御チャネルでの送信とが同じタイミングで生じた場合、前記物理上りリンク制御チャネルでの前記上りリンク制御情報の送信を行なうことを特徴とする。
【００１７】
このように、移動局装置は、第１の参照信号の送信と第２の参照信号の送信と物理上りリンク制御チャネルでの送信とが同じタイミングで生じた場合、物理上りリンク制御チャネルでの上りリンク制御情報の送信を行なうので、物理上りリンク制御チャネルでの送信を最優先することで、物理上りリンク制御チャネルの通信品質を維持することができる。また、第１の参照信号の送信と第２の参照信号の送信と物理上りリンク制御チャネルでの送信を効率良く行うことができる。
【００１８】
（６）また、本発明の無線通信システムにおいて、前記移動局装置は、前記第１の参照信号の送信と前記第２の参照信号の送信と前記物理上りリンク制御チャネルでの送信とが同じタイミングで異なるコンポーネントキャリアに生じた場合、前記第１の参照信号の送信と前記第２の参照信号の送信と前記物理上りリンク制御チャネルでの前記上りリンク制御情報の送信とを同時に行なうことを特徴とする。
【００１９】
このように、移動局装置は、第１の参照信号の送信と第２の参照信号の送信と物理上りリンク制御チャネルでの送信とが同じタイミングで異なるコンポーネントキャリアに生じた場合、第１の参照信号の送信と第２の参照信号の送信と物理上りリンク制御チャネルでの上りリンク制御情報の送信とを同時に行なうので、第１の参照信号の送信と第２の参照信号の送信と物理上りリンク制御チャネルでの送信を効率良く行うことができる。
【００２０】
（７）また、本発明の無線通信システムにおいて、前記移動局装置は、前記第１の参照信号の送信と前記第２の参照信号の送信と前記物理上りリンク制御チャネルでの送信とが同じタイミングで同じコンポーネントキャリアに生じた場合、前記物理上りリンク制御チャネルでの前記上りリンク制御情報の送信を行なう一方、前記第１の参照信号の送信と前記第２の参照信号の送信と前記物理上りリンク制御チャネルでの送信とが同じタイミングで異なるコンポーネントキャリアに生じた場合、前記第１の参照信号の送信と前記第２の参照信号の送信と前記物理上りリンク制御チャネルでの送信とを同時に行なうことを特徴とする。
【００２１】
このように、移動局装置は、第１の参照信号の送信と第２の参照信号の送信と物理上りリンク制御チャネルでの送信とが同じタイミングで同じコンポーネントキャリアに生じた場合、物理上りリンク制御チャネルでの上りリンク制御情報の送信を行なう一方、第１の参照信号の送信と第２の参照信号の送信と物理上りリンク制御チャネルでの送信とが同じタイミングで異なるコンポーネントキャリアに生じた場合、第１の参照信号の送信と第２の参照信号の送信と物理上りリンク制御チャネルでの送信とを同時に行なう。これにより、第１の参照信号の送信と第２の参照信号の送信と物理上りリンク制御チャネルでの送信を効率良く行うことができる。
【００２２】
（８）また、本発明の無線通信システムは、基地局装置と移動局装置とが無線通信を行なう無線通信システムであって、前記基地局装置は、チャネル測定用の第１の参照信号の送信を指示する情報を含む物理下りリンク制御チャネル、チャネル測定用の第２の参照信号の送信を指示する情報を含む無線リソース制御信号、および複数のチャネルによる同時送信を許可する情報を含む信号を前記移動局装置に送信し、前記移動局装置は、前記物理下りリンク制御チャネルに前記第１の参照信号の送信を指示する情報が含まれている場合には、前記第１の参照信号を前記基地局装置に送信し、前記無線リソース制御信号に含まれる前記第２の参照信号の送信を指示する情報に従って、前記第２の参照信号を前記基地局装置に送信し、前記同時送信を許可する情報に従って、前記第１の参照信号の送信と前記第２の参照信号の送信とが同じタイミングで同じ無線リソースを使用して配置された場合、前記第１の参照信号の送信を行なうことを特徴とする。
【００２３】
このように、移動局装置は、同時送信を許可する情報に従って、第１の参照信号の送信と第２の参照信号の送信とが同じタイミングで同じ無線リソースを使用して配置された場合、第１の参照信号の送信を行なうので、効率良く短時間でチャネル測定用の参照信号の送信と物理上りリンク制御チャネルでの送信を行うことができる。
【００２４】
（９）また、本発明の無線通信システムは、基地局装置と移動局装置とが無線通信を行なう無線通信システムであって、前記基地局装置は、物理上りリンク制御チャネルでの送信を指示する情報を含む無線リソース制御信号、チャネル測定用の第１の参照信号の送信を指示する情報を含む物理下りリンク制御チャネル、および複数のチャネルによる同時送信を許可する情報を含む信号を前記移動局装置に送信し、前記移動局装置は、前記無線リソース制御信号に含まれる前記物理上りリンク制御チャネルでの送信を指示する情報に従って、前記物理上りリンク制御チャネルを使用して上りリンク制御情報を前記基地局装置に送信し、前記物理下りリンク制御チャネルに前記第１の参照信号の送信を指示する情報が含まれている場合には、前記第１の参照信号を前記基地局装置に送信し、前記同時送信を許可する情報に従って、前記第１の参照信号の送信と前記物理上りリンク制御チャネルでの送信とが同じタイミングで生じた場合、前記第１の参照信号の送信と前記物理上りリンク制御チャネルでの前記上りリンク制御情報の送信とを同時に行なうことを特徴とする。
【００２５】
このように、移動局装置は、同時送信を許可する情報に従って、第１の参照信号の送信と物理上りリンク制御チャネルでの送信とが同じタイミングで生じた場合、第１の参照信号の送信と物理上りリンク制御チャネルでの上りリンク制御情報の送信とを同時に行なうので、効率良く短時間でチャネル測定用の参照信号の送信と物理上りリンク制御チャネルでの送信を行うことができる。
【００２６】
（１０）また、本発明の無線通信システムは、基地局装置と移動局装置とが無線通信を行なう無線通信システムであって、前記基地局装置は、チャネル測定用の第１の参照信号の送信を指示する情報を含む物理下りリンク制御チャネル、チャネル測定用の第２の参照信号の送信を指示する情報を含む無線リソース制御信号、物理上りリンク制御チャネルでの送信を指示する情報を含む無線リソース制御信号、および複数のチャネルによる同時送信を許可する情報を含む信号を前記移動局装置に送信し、前記移動局装置は、前記物理下りリンク制御チャネルに前記第１の参照信号の送信を指示する情報が含まれている場合には、前記第１の参照信号を前記基地局装置に送信し、前記無線リソース制御信号に含まれる前記第２の参照信号の送信を指示する情報に従って、前記第２の参照信号を前記基地局装置に送信し、前記無線リソース制御信号に含まれる前記物理上りリンク制御チャネルでの送信を指示する情報に従って、前記物理上りリンク制御チャネルを使用して上りリンク制御情報を前記基地局装置に送信し、前記同時送信を許可する情報に従って、前記第１の参照信号の送信と前記第２の参照信号の送信と前記物理上りリンク制御チャネルでの前記上りリンク制御情報の送信とが同じタイミングで生じ、前記第１の参照信号と前記第２の参照信号が同じ無線リソースを使用して配置された場合、前記第１の参照信号と前記物理上りリンク制御チャネルでの前記上りリンク制御情報の送信を行なうことを特徴とする。
【００２７】
このように、移動局装置は、同時送信を許可する情報に従って、第１の参照信号の送信と第２の参照信号の送信と物理上りリンク制御チャネルでの上りリンク制御情報の送信とが同じタイミングで生じ、第１の参照信号と第２の参照信号が同じ無線リソースを使用して配置された場合、第１の参照信号と物理上りリンク制御チャネルでの上りリンク制御情報の送信を行なう。これにより、移動局装置は、効率良く短時間でチャネル測定用の参照信号の送信と物理上りリンク制御チャネルでの送信を行うことができる。
【００２８】
（１１）また、本発明の移動局装置は、基地局装置と無線通信を行なう移動局装置であって、前記基地局装置から受信した物理下りリンク制御チャネルにチャネル測定用の第１の参照信号の送信を指示する情報が含まれている場合には、前記第１の参照信号を前記基地局装置に送信し、前記基地局装置から受信した無線リソース制御信号に含まれるチャネル測定用の前記第２の参照信号の送信を指示する情報に従って、前記第２の参照信号を前記基地局装置に送信し、前記第１の参照信号の送信と前記第２の参照信号の送信とが同じタイミングで生じた場合、前記第１の参照信号の送信を行なう一方、前記第１の参照信号の送信と前記第２の参照信号の送信とが同じタイミングで異なるコンポーネントキャリアに生じた場合、前記第１の参照信号の送信と前記第２の参照信号の送信とを同時に行なうことを特徴とする。
【００２９】
このように、移動局装置は、第１の参照信号の送信と第２の参照信号の送信とが同じタイミングで生じた場合、第１の参照信号の送信を行なう一方、第１の参照信号の送信と第２の参照信号の送信とが同じタイミングで異なるコンポーネントキャリアに生じた場合、第１の参照信号の送信と第２の参照信号の送信とを同時に行なうので、両参照信号が干渉しあい、基地局装置において両参照信号のチャネル測定精度が劣化することを簡単な処理で回避することができる。
【００３０】
（１２）また、本発明の移動局装置は、基地局装置と無線通信を行なう移動局装置であって、前記基地局装置から受信した無線リソース制御信号に含まれる物理上りリンク制御チャネルでの送信を指示する情報に従って、前記物理上りリンク制御チャネルを使用して上りリンク制御情報を前記基地局装置に送信し、前記基地局装置から受信した物理下りリンク制御チャネルにチャネル測定用の第１の参照信号の送信を指示する情報が含まれている場合には、前記第１の参照信号を前記基地局装置に送信し、前記第１の参照信号の送信と前記物理上りリンク制御チャネルでの前記上りリンク制御情報の送信とが同じタイミングで生じた場合、前記物理上りリンク制御チャネルでの前記上りリンク制御情報の送信を行なうことを特徴とする。
【００３１】
このように、移動局装置は、第１の参照信号の送信と物理上りリンク制御チャネルでの上りリンク制御情報の送信とが同じタイミングで生じた場合、物理上りリンク制御チャネルでの上りリンク制御情報の送信を行なうので、物理上りリンク制御チャネルの通信品質を維持することができる。また、第１の参照信号の送信と物理上りリンク制御チャネルでの送信を効率的に行うことができる。
【００３２】
（１３）また、本発明の移動局装置において、前記第１の参照信号の送信と前記物理上りリンク制御チャネルでの前記上りリンク制御情報の送信とが同じタイミングで異なるコンポーネントキャリアに生じた場合、前記第１の参照信号の送信と前記物理上りリンク制御チャネルでの前記上りリンク制御情報の送信とを同時に行なうことを特徴とする。
【００３３】
このように、移動局装置は、第１の参照信号の送信と物理上りリンク制御チャネルでの上りリンク制御情報の送信とが同じタイミングで異なるコンポーネントキャリアに生じた場合、第１の参照信号の送信と物理上りリンク制御チャネルでの上りリンク制御情報の送信とを同時に行なうので、第１の参照信号の送信と物理上りリンク制御チャネルでの送信を効率的に行うことができる。
【００３４】
（１４）また、本発明の移動局装置において、前記第１の参照信号の送信と前記物理上りリンク制御チャネルでの前記上りリンク制御情報の送信とが同じタイミングで同じコンポーネントキャリアに生じた場合、前記物理上りリンク制御チャネルでの前記上りリンク制御情報の送信を行なう一方、前記第１の参照信号の送信と前記物理上りリンク制御チャネルでの前記上りリンク制御情報の送信とが同じタイミングで異なるコンポーネントキャリアに生じた場合、前記第１の参照信号の送信と前記物理上りリンク制御チャネルでの前記上りリンク制御情報の送信とを同時に行なうことを特徴とする。
【００３５】
このように、移動局装置は、第１の参照信号の送信と物理上りリンク制御チャネルでの上りリンク制御情報の送信とが同じタイミングで同じコンポーネントキャリアに生じた場合、物理上りリンク制御チャネルでの上りリンク制御情報の送信を行なう一方、第１の参照信号の送信と物理上りリンク制御チャネルでの上りリンク制御情報の送信とが同じタイミングで異なるコンポーネントキャリアに生じた場合、第１の参照信号の送信と物理上りリンク制御チャネルでの上りリンク制御情報の送信とを同時に行なう。これにより、第１の参照信号の送信と物理上りリンク制御チャネルでの送信を効率的に行うことができる。
【００３６】
（１５）また、本発明の移動局装置は、基地局装置と無線通信を行なう移動局装置であって、前記基地局装置から受信した物理下りリンク制御チャネルにチャネル測定用の第１の参照信号の送信を指示する情報が含まれている場合には、前記第１の参照信号を前記基地局装置に送信し、前記基地局装置から受信した無線リソース制御信号に含まれるチャネル測定用の第２の参照信号の送信を指示する情報に従って、前記第２の参照信号を前記基地局装置に送信し、前記基地局装置から受信した無線リソース制御信号に含まれる物理上りリンク制御チャネルでの送信を指示する情報に従って、前記物理上りリンク制御チャネルを使用して上りリンク制御情報を前記基地局装置に送信し、前記第１の参照信号の送信と前記第２の参照信号の送信と前記物理上りリンク制御チャネルでの前記上りリンク制御情報の送信とが同じタイミングで生じた場合、前記物理上りリンク制御チャネルでの前記上りリンク制御情報の送信を行なうことを特徴とする。
【００３７】
このように、移動局装置は、第１の参照信号の送信と第２の参照信号の送信と物理上りリンク制御チャネルでの上りリンク制御情報の送信とが同じタイミングで生じた場合、物理上りリンク制御チャネルでの上りリンク制御情報の送信を行なうので、物理上りリンク制御チャネルでの送信を最優先することで、物理上りリンク制御チャネルの通信品質を維持することができる。また、第１の参照信号の送信と第２の参照信号の送信と物理上りリンク制御チャネルでの送信を効率良く行うことができる。
【００３８】
（１６）また、本発明の移動局装置において、前記第１の参照信号の送信と前記第２の参照信号の送信と前記物理上りリンク制御チャネルでの前記上りリンク制御情報の送信とが同じタイミングで異なるコンポーネントキャリアに生じた場合、前記第１の参照信号の送信と前記第２の参照信号の送信と前記物理上りリンク制御チャネルでの前記上りリンク制御情報の送信とを同時に行なうことを特徴とする。
【００３９】
このように、移動局装置は、第１の参照信号の送信と第２の参照信号の送信と物理上りリンク制御チャネルでの上りリンク制御情報の送信とが同じタイミングで異なるコンポーネントキャリアに生じた場合、第１の参照信号の送信と第２の参照信号の送信と物理上りリンク制御チャネルでの上りリンク制御情報の送信とを同時に行なうので、第１の参照信号の送信と第２の参照信号の送信と物理上りリンク制御チャネルでの送信を効率良く行うことができる。
【００４０】
（１７）また、本発明の移動局装置において、前記第１の参照信号の送信と前記第２の参照信号の送信と前記物理上りリンク制御チャネルでの前記上りリンク制御情報の送信とが同じタイミングで同じコンポーネントキャリアに生じた場合、前記物理上りリンク制御チャネルでの前記上りリンク制御情報の送信を行なう一方、前記第１の参照信号の送信と前記第２の参照信号の送信と前記物理上りリンク制御チャネルでの前記上りリンク制御情報の送信とが同じタイミングで異なるコンポーネントキャリアに生じた場合、前記第１の参照信号の送信と前記第２の参照信号の送信と前記物理上りリンク制御チャネルでの前記上りリンク制御情報の送信とを同時に行なうことを特徴とする。
【００４１】
このように、移動局装置は、第１の参照信号の送信と第２の参照信号の送信と物理上りリンク制御チャネルでの上りリンク制御情報の送信とが同じタイミングで同じコンポーネントキャリアに生じた場合、物理上りリンク制御チャネルでの上りリンク制御情報の送信を行なう一方、第１の参照信号の送信と第２の参照信号の送信と物理上りリンク制御チャネルでの上りリンク制御情報の送信とが同じタイミングで異なるコンポーネントキャリアに生じた場合、第１の参照信号の送信と第２の参照信号の送信と物理上りリンク制御チャネルでの上りリンク制御情報の送信とを同時に行なう。これにより、第１の参照信号の送信と第２の参照信号の送信と物理上りリンク制御チャネルでの送信を効率良く行うことができる。
【００４２】
（１８）また、本発明の移動局装置は、基地局装置と無線通信を行なう移動局装置であって、前記基地局装置から受信した物理下りリンク制御チャネルにチャネル測定用の第１の参照信号の送信を指示する情報が含まれている場合には、前記第１の参照信号を前記基地局装置に送信し、前記基地局装置から受信した無線リソース制御信号に含まれるチャネル測定用の第２の参照信号の送信を指示する情報に従って、前記第２の参照信号を前記基地局装置に送信し、前記基地局装置から受信した複数のチャネルによる同時送信を許可する情報に従って、前記第１の参照信号の送信と前記第２の参照信号の送信とが同じタイミングで生じ、前記第１の参照信号と前記第２の参照信号とが同じ無線リソースを使用して配置されている場合、前記第１の参照信号を送信することを特徴とする。
【００４３】
このように、移動局装置は、基地局装置から受信した複数のチャネルによる同時送信を許可する情報に従って、第１の参照信号の送信と第２の参照信号の送信とが同じタイミングで生じ、第１の参照信号と第２の参照信号とが同じ無線リソースを使用して配置されている場合、第１の参照信号を送信するので、効率良く短時間でチャネル測定用の参照信号の送信と物理上りリンク制御チャネルでの送信を行うことができる。
【００４４】
（１９）また、本発明の移動局装置は、基地局装置と無線通信を行なう移動局装置であって、前記基地局装置から受信した無線リソース制御信号に含まれる物理上りリンク制御チャネルでの送信を指示する情報に従って、前記物理上りリンク制御チャネルを使用して上りリンク制御情報を前記基地局装置に送信し、前記基地局装置から受信した物理下りリンク制御チャネルにチャネル測定用の第１の参照信号の送信を指示する情報が含まれている場合には、前記第１の参照信号を前記基地局装置に送信し、前記基地局装置から受信した複数のチャネルによる同時送信を許可する情報に従って、前記第１の参照信号の送信と前記物理上りリンク制御チャネルでの前記上りリンク制御情報の送信とが同じタイミングで生じた場合、前記第１の参照信号の送信と前記物理上りリンク制御チャネルでの前記上りリンク制御情報の送信とを同時に行なうことを特徴とする。
【００４５】
このように、移動局装置は、基地局装置から受信した複数のチャネルによる同時送信を許可する情報に従って、第１の参照信号の送信と物理上りリンク制御チャネルでの上りリンク制御情報の送信とが同じタイミングで生じた場合、第１の参照信号の送信と物理上りリンク制御チャネルでの上りリンク制御情報の送信とを同時に行なうので、効率良く短時間でチャネル測定用の参照信号の送信と物理上りリンク制御チャネルでの送信を行うことができる。
【００４６】
（２０）また、本発明の移動局装置は、基地局装置と無線通信を行なう移動局装置であって、前記基地局装置から受信した物理下りリンク制御チャネルにチャネル測定用の第１の参照信号の送信を指示する情報が含まれている場合には、前記第１の参照信号を前記基地局装置に送信し、前記基地局装置から受信した無線リソース制御信号に含まれるチャネル測定用の第２の参照信号の送信を指示する情報に従って、前記第２の参照信号を前記基地局装置に送信し、前記基地局装置から受信した無線リソース制御信号に含まれる物理上りリンク制御チャネルでの送信を指示する情報に従って、前記物理上りリンク制御チャネルを使用して上りリンク制御情報を前記基地局装置に送信し、前記基地局装置から受信した複数のチャネルによる同時送信を許可する情報に従って、前記第１の参照信号の送信と前記第２の参照信号の送信とが同じタイミングで生じ、前記第１の参照信号と前記第２の参照信号とが同じ無線リソースを使用して配置されている場合、前記第１の参照信号の送信と前記物理上りリンク制御チャネルでの前記上りリンク制御情報の送信を同時に行なうことを特徴とする。
【００４７】
このように、移動局装置は、基地局装置から受信した複数のチャネルによる同時送信を許可する情報に従って、第１の参照信号の送信と第２の参照信号の送信とが同じタイミングで生じ、第１の参照信号と第２の参照信号とが同じ無線リソースを使用して配置されている場合、第１の参照信号の送信と物理上りリンク制御チャネルでの上りリンク制御情報の送信を同時に行なう。これにより、移動局装置は、効率良く短時間でチャネル測定用の参照信号の送信と物理上りリンク制御チャネルでの送信を行うことができる。
【００４８】
（２１）また、本発明の無線通信方法は、基地局装置と移動局装置とが無線通信を行なう無線通信方法であって、前記基地局装置において、チャネル測定用の第１の参照信号の送信を指示する情報を含む物理下りリンク制御チャネルを前記移動局装置に送信するステップと、チャネル測定用の第２の参照信号の送信を指示する情報を含む無線リソース制御信号を前記移動局装置に送信するステップと、前記移動局装置において、前記物理下りリンク制御チャネルに前記第１の参照信号の送信を指示する情報が含まれている場合には、前記第１の参照信号を前記基地局装置に送信するステップと、前記無線リソース制御信号に含まれる前記第２の参照信号の送信を指示する情報に従って、前記第２の参照信号を前記基地局装置に送信するステップと、前記第１の参照信号の送信と前記第２の参照信号の送信とが同じタイミングで生じた場合、前記第１の参照信号の送信を行なうステップと、前記第１の参照信号の送信と前記第２の参照信号の送信とが同じタイミングで異なるコンポーネントキャリアに生じた場合、前記第１の参照信号の送信と前記第２の参照信号の送信とを同時に行なうステップと、を少なくとも含むことを特徴とする。
【００４９】
このように、移動局装置は、第１の参照信号の送信と第２の参照信号の送信とが同じタイミングで異なるコンポーネントキャリアに生じた場合、第１の参照信号の送信と第２の参照信号の送信とを同時に行なうので、両参照信号が干渉しあい、基地局装置において両参照信号のチャネル測定精度が劣化することを簡単な処理で回避することができる。
【００５０】
（２２）また、本発明の無線通信方法は、基地局装置と移動局装置とが無線通信を行なう無線通信方法であって、前記基地局装置において、物理上りリンク制御チャネルでの送信を指示する情報を含む無線リソース制御信号を前記移動局装置に送信するステップと、チャネル測定用の第１の参照信号の送信を指示する情報を含む物理下りリンク制御チャネルを前記移動局装置に送信するステップと、前記移動局装置において、前記無線リソース制御信号に含まれる前記物理上りリンク制御チャネルでの送信を指示する情報に従って、前記物理上りリンク制御チャネルを使用して上りリンク制御情報を前記基地局装置に送信するステップと、前記物理下りリンク制御チャネルに前記第１の参照信号の送信を指示する情報が含まれている場合には、前記第１の参照信号を前記基地局装置に送信するステップと、前記第１の参照信号の送信と前記物理上りリンク制御チャネルでの前記上りリンク制御情報の送信とが同じタイミングで生じた場合、前記物理上りリンク制御チャネルでの前記上りリンク制御情報の送信を行なうステップと、を少なくとも含むことを特徴とする。
【００５１】
このように、移動局装置は、第１の参照信号の送信と物理上りリンク制御チャネルでの上りリンク制御情報の送信とが同じタイミングで生じた場合、物理上りリンク制御チャネルでの上りリンク制御情報の送信を行なうので、物理上りリンク制御チャネルの通信品質を維持することができる。また、第１の参照信号の送信と物理上りリンク制御チャネルでの送信を効率的に行うことができる。
【００５２】
（２３）また、本発明の無線通信方法において、前記移動局装置において、前記第１の参照信号の送信と前記物理上りリンク制御チャネルでの前記上りリンク制御情報の送信とが同じタイミングで異なるコンポーネントキャリアに生じた場合、前記第１の参照信号の送信と前記物理上りリンク制御チャネルで前記上りリンク制御情報の送信とを同時に行なうステップを含むことを特徴とする。
【００５３】
このように、移動局装置において、第１の参照信号の送信と物理上りリンク制御チャネルでの上りリンク制御情報の送信とが同じタイミングで異なるコンポーネントキャリアに生じた場合、第１の参照信号の送信と物理上りリンク制御チャネルで上りリンク制御情報の送信とを同時に行なうので、第１の参照信号の送信と物理上りリンク制御チャネルでの送信を効率的に行うことができる。
【００５４】
（２４）また、本発明の無線通信方法において、前記移動局装置において、前記第１の参照信号の送信と前記物理上りリンク制御チャネルでの前記上りリンク制御情報の送信とが同じタイミングで同じコンポーネントキャリアに生じた場合、前記物理上りリンク制御チャネルでの前記上りリンク制御情報の送信を行なう一方、前記第１の参照信号の送信と前記物理上りリンク制御チャネルでの前記上りリンク制御情報の送信とが同じタイミングで異なるコンポーネントキャリアに生じた場合、前記第１の参照信号の送信と前記物理上りリンク制御チャネルでの前記上りリンク制御情報の送信とを同時に行なうステップを含むことを特徴とする。
【００５５】
このように、移動局装置において、第１の参照信号の送信と物理上りリンク制御チャネルでの上りリンク制御情報の送信とが同じタイミングで同じコンポーネントキャリアに生じた場合、物理上りリンク制御チャネルでの上りリンク制御情報の送信を行なう一方、第１の参照信号の送信と物理上りリンク制御チャネルでの上りリンク制御情報の送信とが同じタイミングで異なるコンポーネントキャリアに生じた場合、第１の参照信号の送信と物理上りリンク制御チャネルでの上りリンク制御情報の送信とを同時に行なう。これにより、第１の参照信号の送信と物理上りリンク制御チャネルでの送信を効率的に行うことができる。
【００５６】
（２５）また、本発明の無線通信方法は、基地局装置と移動局装置とが無線通信を行なう無線通信方法であって、前記基地局装置において、チャネル測定用の第１の参照信号の送信を指示する情報を含む物理下りリンク制御チャネルを前記移動局装置に送信するステップと、チャネル測定用の第２の参照信号の送信を指示する情報を含む無線リソース制御信号を前記移動局装置に送信するステップと、物理上りリンク制御チャネルでの送信を指示する情報を含む無線リソース制御信号を前記移動局装置に送信するステップと、前記移動局装置において、前記物理下りリンク制御チャネルに前記第１の参照信号の送信を指示する情報が含まれている場合には、前記第１の参照信号を前記基地局装置に送信するステップと、前記無線リソース制御信号に含まれる前記第２の参照信号の送信を指示する情報に従って、前記第２の参照信号を前記基地局装置に送信するステップと、前記無線リソース制御信号に含まれる前記物理上りリンク制御チャネルでの送信を指示する情報に従って、前記物理上りリンク制御チャネルを使用して上りリンク制御情報を前記基地局装置に送信するステップと、前記第１の参照信号の送信と前記第２の参照信号の送信と前記物理上りリンク制御チャネルでの送信とが同じタイミングで生じた場合、前記物理上りリンク制御チャネルでの前記上りリンク制御情報の送信を行なうステップと、を少なくとも含むことを特徴とする。
【００５７】
このように、移動局装置は、第１の参照信号の送信と第２の参照信号の送信と物理上りリンク制御チャネルでの送信とが同じタイミングで生じた場合、物理上りリンク制御チャネルでの上りリンク制御情報の送信を行なうので、物理上りリンク制御チャネルでの送信を最優先することで、物理上りリンク制御チャネルの通信品質を維持することができる。また、第１の参照信号の送信と第２の参照信号の送信と物理上りリンク制御チャネルでの送信を効率良く行うことができる。
【００５８】
（２６）また、本発明の無線通信方法において、前記移動局装置において、前記第１の参照信号の送信と前記第２の参照信号の送信と前記物理上りリンク制御チャネルでの送信とが同じタイミングで異なるコンポーネントキャリアに生じた場合、前記第１の参照信号の送信と前記第２の参照信号の送信と前記物理上りリンク制御チャネルでの前記上りリンク制御情報の送信とを同時に行なうステップを含むことを特徴とする。
【００５９】
このように、移動局装置において、第１の参照信号の送信と第２の参照信号の送信と物理上りリンク制御チャネルでの送信とが同じタイミングで異なるコンポーネントキャリアに生じた場合、第１の参照信号の送信と第２の参照信号の送信と物理上りリンク制御チャネルでの上りリンク制御情報の送信とを同時に行なうので、第１の参照信号の送信と第２の参照信号の送信と物理上りリンク制御チャネルでの送信を効率良く行うことができる。
【００６０】
（２７）また、本発明の無線通信方法において、前記移動局装置において、前記第１の参照信号の送信と前記第２の参照信号の送信と前記物理上りリンク制御チャネルでの送信とが同じタイミングで同じコンポーネントキャリアに生じた場合、前記物理上りリンク制御チャネルでの前記上りリンク制御情報の送信を行なう一方、前記第１の参照信号の送信と前記第２の参照信号の送信と前記物理上りリンク制御チャネルでの送信とが同じタイミングで異なるコンポーネントキャリアに生じた場合、前記第１の参照信号の送信と前記第２の参照信号の送信と前記物理上りリンク制御チャネルでの送信とを同時に行なうステップを含むことを特徴とする。
【００６１】
このように、移動局装置において、第１の参照信号の送信と第２の参照信号の送信と物理上りリンク制御チャネルでの送信とが同じタイミングで同じコンポーネントキャリアに生じた場合、物理上りリンク制御チャネルでの上りリンク制御情報の送信を行なう一方、第１の参照信号の送信と第２の参照信号の送信と物理上りリンク制御チャネルでの送信とが同じタイミングで異なるコンポーネントキャリアに生じた場合、第１の参照信号の送信と第２の参照信号の送信と物理上りリンク制御チャネルでの送信とを同時に行なう。これにより、第１の参照信号の送信と第２の参照信号の送信と物理上りリンク制御チャネルでの送信を効率良く行うことができる。
【００６２】
（２８）また、本発明の無線通信方法は、基地局装置と移動局装置とが無線通信を行なう無線通信方法であって、前記基地局装置において、チャネル測定用の第１の参照信号の送信を指示する情報を含む物理下りリンク制御チャネルを前記移動局装置に送信するステップと、チャネル測定用の第２の参照信号の送信を指示する情報を含む無線リソース制御信号を前記移動局装置に送信するステップと、複数のチャネルによる同時送信を許可する情報を含む信号を前記移動局装置に送信するステップと、前記移動局装置において、前記物理下りリンク制御チャネルに前記第１の参照信号の送信を指示する情報が含まれている場合には、前記第１の参照信号を前記基地局装置に送信するステップと、前記無線リソース制御信号に含まれる前記第２の参照信号の送信を指示する情報に従って、前記第２の参照信号を前記基地局装置に送信するステップと、前記同時送信を許可する情報に従って、前記第１の参照信号の送信と前記第２の参照信号の送信とが同じタイミングで同じ無線リソースを使用して配置された場合、前記第１の参照信号の送信を行なうステップと、を少なくとも含むことを特徴とする。
【００６３】
このように、移動局装置は、同時送信を許可する情報に従って、第１の参照信号の送信と第２の参照信号の送信とが同じタイミングで同じ無線リソースを使用して配置された場合、第１の参照信号の送信を行なうので、効率良く短時間でチャネル測定用の参照信号の送信と物理上りリンク制御チャネルでの送信を行うことができる。
【００６４】
（２９）また、本発明の無線通信方法は、基地局装置と移動局装置とが無線通信を行なう無線通信方法であって、前記基地局装置において、物理上りリンク制御チャネルでの送信を指示する情報を含む無線リソース制御信号を前記移動局装置に送信するステップと、チャネル測定用の第１の参照信号の送信を指示する情報を含む物理下りリンク制御チャネルを前記移動局装置に送信するステップと、複数のチャネルによる同時送信を許可する情報を含む信号を前記移動局装置に送信するステップと、前記移動局装置において、前記無線リソース制御信号に含まれる前記物理上りリンク制御チャネルでの送信を指示する情報に従って、前記物理上りリンク制御チャネルを使用して上りリンク制御情報を前記基地局装置に送信するステップと、前記物理下りリンク制御チャネルに前記第１の参照信号の送信を指示する情報が含まれている場合には、前記第１の参照信号を前記基地局装置に送信するステップと、前記同時送信を許可する情報に従って、前記第１の参照信号の送信と前記物理上りリンク制御チャネルでの送信とが同じタイミングで生じた場合、前記第１の参照信号の送信と前記物理上りリンク制御チャネルでの前記上りリンク制御情報の送信とを同時に行なうステップと、を少なくとも含むことを特徴とする。
【００６５】
このように、移動局装置は、同時送信を許可する情報に従って、第１の参照信号の送信と物理上りリンク制御チャネルでの送信とが同じタイミングで生じた場合、第１の参照信号の送信と物理上りリンク制御チャネルでの上りリンク制御情報の送信とを同時に行なうので、効率良く短時間でチャネル測定用の参照信号の送信と物理上りリンク制御チャネルでの送信を行うことができる。
【００６６】
（３０）また、本発明の無線通信方法は、基地局装置と移動局装置とが無線通信を行なう無線通信方法であって、前記基地局装置において、チャネル測定用の第１の参照信号の送信を指示する情報を含む物理下りリンク制御チャネルを前記移動局装置に送信するステップと、チャネル測定用の第２の参照信号の送信を指示する情報を含む無線リソース制御信号を前記移動局装置に送信するステップと、物理上りリンク制御チャネルでの送信を指示する情報を含む無線リソース制御信号を前記移動局装置に送信するステップと、複数のチャネルによる同時送信を許可する情報を含む信号を前記移動局装置に送信するステップと、前記移動局装置において、前記物理下りリンク制御チャネルに前記第１の参照信号の送信を指示する情報が含まれている場合には、前記第１の参照信号を前記基地局装置に送信するステップと、前記無線リソース制御信号に含まれる前記第２の参照信号の送信を指示する情報に従って、前記第２の参照信号を前記基地局装置に送信するステップと、前記無線リソース制御信号に含まれる前記物理上りリンク制御チャネルでの送信を指示する情報に従って、前記物理上りリンク制御チャネルを使用して上りリンク制御情報を前記基地局装置に送信するステップと、前記同時送信を許可する情報に従って、前記第１の参照信号の送信と前記第２の参照信号の送信と前記物理上りリンク制御チャネルでの前記上りリンク制御情報の送信とが同じタイミングで生じ、前記第１の参照信号と前記第２の参照信号が同じ無線リソースを使用して配置された場合、前記第１の参照信号と前記物理上りリンク制御チャネルでの前記上りリンク制御情報の送信を行なうステップと、を少なくとも含むことを特徴とする。
【００６７】
このように、移動局装置は、同時送信を許可する情報に従って、第１の参照信号の送信と第２の参照信号の送信と物理上りリンク制御チャネルでの上りリンク制御情報の送信とが同じタイミングで生じ、第１の参照信号と第２の参照信号が同じ無線リソースを使用して配置された場合、第１の参照信号と物理上りリンク制御チャネルでの上りリンク制御情報の送信を行なう。これにより、移動局装置は、効率良く短時間でチャネル測定用の参照信号の送信と物理上りリンク制御チャネルでの送信を行うことができる。
【００６８】
（３１）また、本発明の集積回路は、移動局装置に実装されることにより、前記移動局装置に複数の機能を発揮させる集積回路であって、前記基地局装置から受信した物理下りリンク制御チャネルにチャネル測定用の第１の参照信号の送信を指示する情報が含まれている場合には、前記第１の参照信号を前記基地局装置に送信する機能と、前記基地局装置から受信した無線リソース制御信号に含まれるチャネル測定用の前記第２の参照信号の送信を指示する情報に従って、前記第２の参照信号を前記基地局装置に送信する機能と、前記第１の参照信号の送信と前記第２の参照信号の送信とが同じタイミングで生じた場合、前記第１の参照信号の送信を行なう一方、前記第１の参照信号の送信と前記第２の参照信号の送信とが同じタイミングで異なるコンポーネントキャリアに生じた場合、前記第１の参照信号の送信と前記第２の参照信号の送信とを同時に行なう機能と、を前記移動局装置に発揮させることを特徴とする。
【００６９】
このように、移動局装置は、第１の参照信号の送信と第２の参照信号の送信とが同じタイミングで生じた場合、第１の参照信号の送信を行なう一方、第１の参照信号の送信と第２の参照信号の送信とが同じタイミングで異なるコンポーネントキャリアに生じた場合、第１の参照信号の送信と第２の参照信号の送信とを同時に行なうので、両参照信号が干渉しあい、基地局装置において両参照信号のチャネル測定精度が劣化することを簡単な処理で回避することができる。
【００７０】
（３２）また、本発明の集積回路は、移動局装置に実装されることにより、前記移動局装置に複数の機能を発揮させる集積回路であって、前記基地局装置から受信した無線リソース制御信号に含まれる物理上りリンク制御チャネルでの送信を指示する情報に従って、前記物理上りリンク制御チャネルを使用して上りリンク制御情報を前記基地局装置に送信する機能と、前記基地局装置から受信した物理下りリンク制御チャネルにチャネル測定用の第１の参照信号の送信を指示する情報が含まれている場合には、前記第１の参照信号を前記基地局装置に送信する機能と、前記第１の参照信号の送信と前記物理上りリンク制御チャネルでの前記上りリンク制御情報の送信とが同じタイミングで生じた場合、前記物理上りリンク制御チャネルでの前記上りリンク制御情報の送信を行なう機能と、を前記移動局装置に発揮させることを特徴とする。
【００７１】
このように、移動局装置は、第１の参照信号の送信と物理上りリンク制御チャネルでの上りリンク制御情報の送信とが同じタイミングで生じた場合、物理上りリンク制御チャネルでの上りリンク制御情報の送信を行なうので、物理上りリンク制御チャネルの通信品質を維持することができる。また、第１の参照信号の送信と物理上りリンク制御チャネルでの送信を効率的に行うことができる。
【００７２】
（３３）また、本発明の集積回路は、移動局装置に実装されることにより、前記移動局装置に複数の機能を発揮させる集積回路であって、前記基地局装置から受信した物理下りリンク制御チャネルにチャネル測定用の第１の参照信号の送信を指示する情報が含まれている場合には、前記第１の参照信号を前記基地局装置に送信する機能と、前記基地局装置から受信した無線リソース制御信号に含まれるチャネル測定用の第２の参照信号の送信を指示する情報に従って、前記第２の参照信号を前記基地局装置に送信する機能と、前記基地局装置から受信した無線リソース制御信号に含まれる物理上りリンク制御チャネルでの送信を指示する情報に従って、前記物理上りリンク制御チャネルを使用して上りリンク制御情報を前記基地局装置に送信する機能と、前記第１の参照信号の送信と前記第２の参照信号の送信と前記物理上りリンク制御チャネルでの前記上りリンク制御情報の送信とが同じタイミングで生じた場合、前記物理上りリンク制御チャネルでの前記上りリンク制御情報の送信を行なう機能と、を前記移動局装置に発揮させることを特徴とする。
【００７３】
このように、移動局装置は、第１の参照信号の送信と第２の参照信号の送信と物理上りリンク制御チャネルでの上りリンク制御情報の送信とが同じタイミングで生じた場合、物理上りリンク制御チャネルでの上りリンク制御情報の送信を行なうので、物理上りリンク制御チャネルでの送信を最優先することで、物理上りリンク制御チャネルの通信品質を維持することができる。また、第１の参照信号の送信と第２の参照信号の送信と物理上りリンク制御チャネルでの送信を効率良く行うことができる。
【００７４】
（３４）また、本発明の集積回路は、移動局装置に実装されることにより、前記移動局装置に複数の機能を発揮させる集積回路であって、前記基地局装置から受信した物理下りリンク制御チャネルにチャネル測定用の第１の参照信号の送信を指示する情報が含まれている場合には、前記第１の参照信号を前記基地局装置に送信する機能と、前記基地局装置から受信した無線リソース制御信号に含まれるチャネル測定用の第２の参照信号の送信を指示する情報に従って、前記第２の参照信号を前記基地局装置に送信する機能と、前記基地局装置から受信した複数のチャネルによる同時送信を許可する情報に従って、前記第１の参照信号の送信と前記第２の参照信号の送信とが同じタイミングで生じ、前記第１の参照信号と前記第２の参照信号とが同じ無線リソースを使用して配置されている場合、前記第１の参照信号を送信する機能と、を前記移動局装置に発揮させることを特徴とする。
【００７５】
このように、移動局装置は、基地局装置から受信した複数のチャネルによる同時送信を許可する情報に従って、第１の参照信号の送信と第２の参照信号の送信とが同じタイミングで生じ、第１の参照信号と第２の参照信号とが同じ無線リソースを使用して配置されている場合、第１の参照信号を送信するので、効率良く短時間でチャネル測定用の参照信号の送信と物理上りリンク制御チャネルでの送信を行うことができる。
【発明の効果】
【００７６】
本発明によれば、異なる下りリンク信号（無線リソース制御信号や物理下りリンク制御チャネル）で送信が指示される第１の参照信号の送信と第２の参照信号の送信が同じタイミングで生じた場合のチャネル測定精度を維持することができる。更に、物理上りリンク制御チャネルでの送信が同じタイミングで生じた場合の通信品質を維持することができる。これらにより、効率的な通信を行なうことが可能となる。
【図面の簡単な説明】
【００７７】
【図１】本発明の基地局装置１の概略機能構成を示すブロック図である。
【図２】本発明の移動局装置３の概略機能構成を示すブロック図である。
【図３Ａ】本発明の第１の実施形態における第１の参照信号（A-SRS）の送信と第２の参照信号（P-SRS）の送信が同じタイミングで生じた場合の移動局装置３の送信制御の処理手順を示すフローチャートである。
【図３Ｂ】本発明の第１の実施形態における第１の参照信号（A-SRS）の送信と第２の参照信号（P-SRS）の送信が同じタイミングで生じた場合の移動局装置３の送信制御の処理手順を示すフローチャートである。
【図４】本発明の第２の実施形態における第１の参照信号（A-SRS）の送信と物理上りリンク制御チャネル（PUCCH）での送信が同じタイミングで生じた場合の移動局装置３の送信制御の処理手順を示すフローチャートである。
【図５】本発明の第３の実施形態における第１の参照信号（A-SRS）の送信と第２の参照信号（P-SRS）の送信と物理上りリンク制御チャネル（PUCCH）での送信が同じタイミングで生じた場合の移動局装置３の送信制御の処理手順を示すフローチャートである。
【図６】本発明の第４の実施形態の基本形態における第１の参照信号（A-SRS）の送信と第２の参照信号（P-SRS）の送信が同じタイミングで生じた場合の移動局装置３の送信制御の処理手順を示したフローチャートである。
【図７】本発明の第４の実施形態の第１の変形例における第１の参照信号（A-SRS）の送信と物理上りリンク制御チャネル（PUCCH）での送信が同じタイミングで生じた場合の移動局装置３の送信制御の処理手順を示したフローチャートである。
【図８】本発明の第４の実施形態の第２の変形例における第１の参照信号（A-SRS）の送信と第２の参照信号（P-SRS）の送信と物理上りリンク制御チャネル（PUCCH）での送信が同じタイミングで生じた場合の移動局装置３の送信制御の処理手順を示したフローチャートである。
【図９】本発明の第４の実施形態において、第１の参照信号（A-SRS）と第２の参照信号（P-SRS）と物理上りリンク制御チャネル（PUCCH）の送信タイミングの一例を示した図である。
【図１０】上りリンク信号の概略構成を示す図である。
【発明を実施するための形態】
【００７８】
各実施形態の具体的な説明に入る前に、本発明で用いられる通信技術の概要について簡単に説明する。
【００７９】
（物理チャネル）
本発明に使用される物理チャネルには、物理報知チャネル、物理下りリンク共用チャネル、物理下りリンク制御チャネル、下りリンク参照信号、物理上りリンク共用チャネル、物理上りリンク制御チャネル、物理ランダムアクセスチャネル、上りリンク参照信号などが含まれる。なお、異なる物理チャネルの種類が上記物理チャネルに追加されても後述する本発明の各実施形態を適用できる。
【００８０】
物理報知チャネル（PBCH:Physical Broadcast Channel）は、セル内の移動局装置で共
通に用いられる制御パラメータ（報知情報）を通知する目的で送信される。物理報知チャネルで通知されない報知情報は、物理下りリンク制御チャネルでリソースが通知され、物理下りリンク共用チャネルを用いて送信される。報知情報として、セル個別のＩＤ（Identity）を示すセルグローバルＩＤなどが通知される。ＰＢＣＨは、４０ミリ秒間隔で報知チャネル（BCH:Broadcast Channel）がマッピングされる。４０ミリ秒のタイミングは、
移動局装置においてブラインド検出（blind detection）される。すなわち、物理報知チ
ャネルのタイミング提示のために、移動局装置に対して明示的なシグナリングは送信されない。また、物理報知チャネル（PBCH）を含むサブフレームは、そのサブフレームだけで復号できる（自己復号可能：self-decodable）。
【００８１】
物理下りリンク制御チャネル（PDCCH:Physical Downlink Control Channel）は、基地
局装置から移動局装置へ送信される下りリンクチャネルであり、複数の移動局装置に対して共通に使用される。基地局装置は、送信タイミング情報やスケジューリング情報（上りリンク／下りリンクリソース割り当て情報）の送信に下りリンク制御チャネルを用いる。物理下りリンク共用チャネル（PDSCH:Physical Downlink Shared Channel）は、下りリンクデータまたはページング情報を送信するために使用されるチャネルである。無線リソース制御信号は、下りリンク共用チャネルを用いて送信される。
【００８２】
下りリンク参照信号（DL-RS:Downlink Reference Signal、またはCell-specific Reference Signal）は、基地局装置から移動局装置へ下りリンクチャネルを利用して送信され
る。移動局装置は下りリンク参照信号を測定することで下りリンクの受信品質を判定する。受信品質は、品質情報指標であるＣＱＩ（Channel Quality Indicator：チャネル品質
指標）として物理上りリンク制御チャネル（PUCCH:Physical Uplink Control Channel）
を用いて基地局装置へ通知される。基地局装置は移動局装置から通知されたＣＱＩに基づいて、移動局装置に対する下りリンク通信のスケジューリングを行なう。なお、受信品質としては、ＳＩＲ（Signal-to-Interference Ratio：信号対干渉電力比）、ＳＩＮＲ（Signal-to-Interference plus Noise Ratio：信号対干渉雑音電力比）、ＳＮＲ（Signal-to-Noise Ratio：信号対雑音電力比）、ＣＩＲ（Carrier-to-Interference Ratio：搬送波
対干渉電力比）、ＢＬＥＲ（Block Error Rate：ブロック誤り率）、パスロスなどを使用することができる。
【００８３】
物理上りリンク共用チャネル（PUSCH:Physical Uplink Shared Channel）は、主に上りリンクデータ（UL-SCH:Uplink Shared Channel）を送信するために使用されるチャネルである。基地局装置が、移動局装置をスケジューリングした場合には、チャネル状態情報（下りリンクのチャネル品質指標（CQI:Channel Quality Indicator）、プレコーディング
マトリックス指標（PMI:Precoding Matrix Indicator）、ランク指標（RI:Rank Indicator））や下りリンク送信に対するハイブリッド自動再送要求（HARQ:Hybrid Automatic Repeat Request）の肯定応答（ACK:Acknowledgement）／否定応答（NACK:Negative Acknowledgement）も物理上りリンク共用チャネル（PUSCH）を使用して送信される。ここで、上りリンクデータ（UL-SCH）とは、例えば、ユーザデータの送信を示しており、ＵＬ−ＳＣＨは、トランスポートチャネルである。ＵＬ−ＳＣＨでは、ＨＡＲＱ、動的適応無線リンク制御がサポートされ、また、ビームフォーミングが利用可能である。ＵＬ−ＳＣＨは、動的なリソース割り当て、および、準静的なリソース割り当てがサポートされる。
【００８４】
物理上りリンク制御チャネル（PUCCH:Physical Uplink Control Channel）は、制御デ
ータを送信するために使用されるチャネルである。ここで制御データとは、例えば、移動局装置から基地局装置へ送信（フィードバック）されるチャネル状態情報（CQI、PMI、RI）、移動局装置が、上りリンクデータを送信するためのリソースの割り当てを要求する（UL-SCHでの送信を要求する）スケジューリング要求（SR:Scheduling Request）、下りリ
ンク送信に対するＨＡＲＱのＡＣＫ／ＮＡＣＫなどが含まれる。
【００８５】
上りリンク参照信号（UL-RS:Uplink Reference Signal）は、移動局装置から基地局装
置へ送信される。ＵＬ−ＲＳには、サウンディング参照信号（SRS:Sounding Reference Signal）とデモジュレーション参照信号（DM-RS:Demodulation Reference Signal）とがある。基地局装置はチャネル測定用の参照信号であるサウンディング参照信号を用いてチャネル測定を行ない、移動局装置の上りリンク無線送信信号の受信品質の判断をし、受信品質に基づく上りリンクのスケジューリングや上りリンクタイミング同期の調整を行なう。
【００８６】
また、デモジュレーション参照信号は、物理上りリンク共用チャネルと共に送信され、基地局装置において物理上りリンク共用チャネルの信号の振幅、位相や周波数の変動量が計算され、物理上りリンク共用チャネルを利用して送信された信号を復調するために主に使用される。ＤＭ−ＲＳの送信帯域幅は、ＰＵＳＣＨの送信帯域幅と一致するが、ＳＲＳの送信帯域幅は、ＤＭ−ＲＳとは独立に設定される。
【００８７】
ＳＲＳの送信帯域幅は、基地局装置において予め設定される。また、ＳＲＳには、時間軸方向に対して周波数ホッピングが適用される。ＳＲＳは、周波数ホッピングを用いることで周波数ダイバーシティ効果と干渉の平均化効果が得られる。チャネル測定用の第１の参照信号（A-SRS:Aperiodic SRS）は、基地局装置が送信を要求した場合に送信される非
周期的なチャネル測定用の参照信号であり、第１の参照信号を送信するタイミングは、物理下りリンク制御チャネルを使用して設定される。また、チャネル測定用の第２の参照信号（P-SRS:Periodic SRS）は、基地局装置が予め設定した送信周期に応じて送信されるチャネル測定用の参照信号であり、第２の参照信号を送信するタイミングは、無線リソース制御信号を使用して設定される。ここで、タイミングとは、各信号のリソースが割り当てられたサブフレームを意味する。
【００８８】
物理ランダムアクセスチャネル（PRACH:Physical Random Access Channel）は、ランダムアクセスプリアンブルを送信するために使用される物理チャネルであり、ガードタイムを持つ。ＰＲＡＣＨは、移動局装置が基地局装置と同期をとることを最大の目的とし、その他に、初期アクセス、ハンドオーバ、再接続要求、およびスケジューリング要求に用いられる。
【００８９】
スケジューリング要求は、移動局装置が基地局装置に対して、物理上りリンク共用チャネルのリソースの割り当ての要求を示す情報である。移動局装置は、自装置のバッファに送信する情報データが溜まってきて、物理上りリンク共用チャネルのリソース割り当てを要求する場合に、スケジューリング要求を送信する。また、移動局装置は、予め基地局装置より割り当てられたリソースの物理上りリンク制御チャネルを用いて、スケジューリング要求を基地局装置に送信する。なお、基地局装置は、移動局装置との通信接続開始時に、その移動局装置がスケジューリング要求を配置するための周期的なリソースを割り当てる。
【００９０】
（各層のインタフェースプロトコル）
移動局装置とネットワークとの間の無線インタフェースプロトコルの各層は、開放型システム相互間連結（OSI:Open System Interconnection）の参照モデルに基づいてＬ１（
第１層）、Ｌ２（第２層）、Ｌ３（第３層）に分類される。第１層に属する物理層は、物理チャネルを使用して上位層に情報伝達サービスを提供する。また、トランスポートチャネル（伝送チャネルとも呼ばれる）を通して第２層の媒体アクセス制御（MAC:Medium Access Control）層に連結される。そして、データはトランスポートチャネルを通して、Ｍ
ＡＣ層と物理層の間で伝送される。
【００９１】
第２層に属するＭＡＣ層は、論理チャネルを通して無線リンク制御（RLC:Radio Link Control）層に、論理チャネルとトランスポートチャネル間のリソース割り当てなどのサービスを提供する。ＲＬＣ層は、信頼性のあるデータ送信を支援する。ＲＬＣ層の機能は、ＭＡＣ層内の機能ブロックによって具現されることもあるため、ＲＬＣ層が存在しない場合もある。また、第２層には、ＭＡＣ層とＲＬＣ層の他に、パケットデータ収束プロトコル（PDCP:Packet Data Convergence Protocol）層とがある。ＰＤＣＰ層は、パケットデ
ータに付加されたヘッダ情報を圧縮して無線リンクで効率的に伝送できるようにしたり、パケットの順序管理を行なってデータ欠落を防いだりする。
【００９２】
第３層に属する無線リソース制御（RRC:Radio Resource Control）層は、無線ベアラの設定、再設定、および解除に関連してトランスポートチャネルおよび物理チャネルを制御する。ＲＲＣ層は、ネットワークから移動局装置に対するシステム情報や呼び出し情報の報知などを行ない、それらに必要な第１層や第２層の制御も行なう。また、移動局装置とネットワーク間のリソースの制御も行なう。次に、上りリンク信号の構成について説明する。
【００９３】
（上りリンク信号の構成）
図１０は、上りリンク信号の概略構成を示す図である。同図において横軸は時間であり、縦軸は周波数である。同図の例において、時間軸方向に１４個のシンボルが並んでいる。７個のシンボルが１スロットに相当し、１スロットの長さは０．５ミリ秒（ms）である。また、１４個のシンボル（２スロットに相当）が１サブフレームに相当し、１サブフレームの長さは１ミリ秒である。なお、図１０は、１つのコンポーネントキャリアの上りリンク信号の構成を示している。
【００９４】
１サブフレームが１４シンボルで構成される上りリンク信号において、ＳＲＳは１４番目のシンボルに割り当てられる。１４番目のシンボルに割り当てられるＳＲＳのリソース（周波数方向の帯域幅）は、上りリンクシステム帯域幅や移動局装置の送信電力に応じて、設定される。また、ＰＲＡＣＨは送信するメッセージの種類やフォーマットに応じて、帯域幅や時間シンボル長が変更されて割り当てられる。本発明においては、図１０に示すコンポーネントキャリアを複数使用して移動局装置が上りリンク信号を送信する。以下、本発明の実施形態について図面を参照して説明する。
【００９５】
＜第１の実施形態＞
第１の実施形態について以下に説明する。第１の実施形態では、基地局装置は、チャネル測定用の第１の参照信号の送信を指示する情報を含む物理下りリンク制御チャネルとチャネル測定用の第２の参照信号の送信を指示する情報を含む無線リソース制御信号とを移動局装置に送信する。移動局装置は、物理下りリンク制御チャネルに第１の参照信号の送信を指示する情報が含まれている場合には、第１の参照信号を基地局装置に送信し、無線リソース制御信号に含まれる第２の参照信号の送信を指示する情報に従って、第２の参照信号を前記基地局装置に送信し、第１の参照信号の送信と第２の参照信号の送信とが同じタイミングで生じた場合、第１の参照信号の送信を行なうことができる。
【００９６】
第１の実施形態では、基地局装置が送信を要求した場合に送信される非周期的なチャネル測定用の第１の参照信号（Aperiodic SRS;A-SRS）の送信と基地局装置が設定したタイ
ミングで周期的に送信されるチャネル測定用の第２の参照信号（Periodic SRS;P-SRS）の送信が同じタイミングで生じた場合の移動局装置の送信制御を示す。例えば、第１の参照信号の送信を指示する情報は、物理下りリンク制御チャネルに含まれ、第２の参照信号の送信を指示する情報は、無線リソース制御信号に含まれている。
【００９７】
図１は、本発明の基地局装置１の概略機能構成を示すブロック図である。基地局装置１は、送信部１０１と、受信部１０３と、スケジューリング部１０５と、上位層１０７と、アンテナ１０９とを含んでいる。送信部１０１は、データ制御部１０１１と、変調部１０１３と、無線送信部１０１５とを含んでいる。また、受信部１０３は、無線受信部１０３１と、復調部１０３３と、データ抽出部１０３５とを含んでいる。データ制御部１０１１は、ユーザデータと制御データとを入力し、スケジューリング部１０５からの指示により、制御データをＰＤＣＣＨに配置し、各移動局装置３に対する送信データや制御データをＰＤＳＣＨに配置する。変調部１０１３は、データ変調、入力信号の直列／並列変換、ＩＦＦＴ、ＣＰ挿入、フィルタリングなどの信号処理を行ない、送信信号を生成する。無線送信部１０１５は、変調されたデータを無線周波数にアップコンバードした後に、アンテナ１０９を介して、移動局装置３に送信する。
【００９８】
無線受信部１０３１は、移動局装置３からの上りリンクの信号を受信し、ベースバンド信号にダウンコンバートして、受信データを復調部１０３３に出力する。データ抽出部１０３５は、受信データの正誤を確認し、確認結果をスケジューリング部１０５に通知する。データ抽出部１０３５は、受信データが正しい場合、受信データをユーザデータと制御データに分離する。データ抽出部１０３５は、制御データの中で下りリンクのチャネル品質指示情報、下りリンクデータの成／否（ACK/NACK）などの第２層の制御データはスケジューリング部１０５に出力し、その他の第３層等の制御データとユーザデータは上位層１０７に出力する。データ抽出部１０３５は、受信データが誤りの場合、再送データと合成するために保存しておき、再送データを受信した時に合成処理を行なう。
【００９９】
スケジューリング部１０５は、ユーザデータや制御データをＰＤＳＣＨやＰＤＣＣＨに配置するためのスケジューリングを行なう。上位層１０７は、媒体アクセス制御（MAC:Medium Access Control）層、無線リンク制御（RLC:Radio Link Control）層、パケットデ
ータ収束プロトコル（PDCP:Packet Data Convergence Protocol）層、無線リソース制御
（RRC:Radio Resource Control）層の処理を行なう。上位層１０７は、下位層の処理部を統合して制御するため、上位層１０７と、スケジューリング部１０５、アンテナ１０９、送信部１０１、受信部１０３との間のインターフェースが存在する（ただし、図示しない）。
【０１００】
上位層１０７は、無線リソース制御部１０７１（制御部とも言う。）を有している。また、無線リソース制御部１０７１は、各種設定情報の管理、システム情報の管理、ページング制御、各移動局装置の通信状態の管理、ハンドオーバなどの移動管理、移動局装置毎のバッファ状況の管理、ユニキャストおよびマルチキャストベアラの接続設定の管理、移動局識別子（ＵＥＩＤ）の管理などを行なっている。また、上位層１０７は、別の基地局装置への情報および上位ノードへの情報の授受を行なう。
【０１０１】
図２は、本発明の移動局装置３の概略機能構成を示すブロック図である。移動局装置３は、送信部２０１と、受信部２０３と、スケジューリング部２０５と、参照信号生成部２０６と、上位層２０７と、アンテナ２０９とを含んでいる。送信部２０１は、データ制御部２０１１と、変調部２０１３と、無線送信部２０１５とを含んでいる。また、受信部２０３は、無線受信部２０３１と、復調部２０３３と、データ抽出部２０３５とを含んでいる。
【０１０２】
ユーザデータと制御データは、上位層２０７からデータ制御部２０１１に入力される。データ制御部２０１１は、入力されたデータをスケジューリング部２０５からの指示により、ＰＵＳＣＨやＰＵＣＣＨに配置する。変調部２０１３は、ＰＵＳＣＨやＰＵＣＣＨのデータ変調を行ない、無線送信部２０１５に出力する。無線送信部２０１５は、変調されたデータと上りリンク参照信号を離散フーリエ変換（DFT:Discrete Fourier Transform）、サブキャリアマッピング、逆高速フーリエ変換（IFFT:Inverse Fast Fourier Transform）、ＣＰ（Cyclic Prefix）挿入、フィルタリングなどの信号処理を行ない、送信信号を生成し、無線周波数にアップコンバートした後に、アンテナ２０９を介して、基地局装置１に送信する。
【０１０３】
無線受信部２０３１は、基地局装置１からの下りリンク信号を受信し、ベースバンド信号にダウンコンバートして、受信信号を復調部２０３３に出力する。復調部２０３３は、受信データを復調する。データ抽出部２０３５は、受信データをユーザデータと制御データに分離する。また、データ抽出部２０３５は、スケジューリング情報、ランダムアクセス応答メッセージや間欠受信制御に関する制御データやその他の第２層の制御データはスケジューリング部２０５に出力し、ユーザデータを上位層２０７に出力する。
【０１０４】
スケジューリング部２０５は、データ抽出部２０３５から入力された制御データを解析し、上りリンクのスケジューリング情報を生成し、そのスケジューリング情報を基に、ユーザデータや制御データをＰＵＳＣＨやＰＵＣＣＨに割り当てることをデータ制御部２０１１に指示する。
【０１０５】
また、スケジューリング部２０５は、参照信号制御部２０５１を含んでいる。参照信号制御部２０５１は、基地局装置１から送信されたスケジューリング情報を基に、ＳＲＳ設定情報を取り出す。また、チャネル測定用の第１の参照信号と第２の参照信号と物理上りリンク制御チャネルが同じタイミングで生じた場合の送信制御を行ない、ＳＲＳ送信制御情報を生成する。参照信号制御部２０５１は、ＳＲＳ設定情報とＳＲＳ送信制御情報を参照信号生成部２０６に出力する。ここで、ＳＲＳ設定情報とは、ＳＲＳの送信帯域幅や送信周期などのパラメータを設定するための情報である。ＳＲＳ送信制御情報とは、ＳＲＳと他の上りリンクチャネル（PUSCHやPUCCH）が同じサブフレームに割り当てられた時のＳＲＳの送信制御方法を示した情報である。例えば、ＳＲＳとＰＵＣＣＨが同じサブフレームで生じた場合、ＳＲＳを送信しないという処理を移動局装置３が行なうように指示するための情報である。
【０１０６】
参照信号生成部２０６は、参照信号制御部２０５１から入力されたＳＲＳ設定情報およびＳＲＳ送信制御情報を基に、第１の参照信号および／または第２の参照信号を生成し、無線送信部２０１５に出力する。
【０１０７】
上位層２０７は、媒体アクセス制御（MAC:Medium Access Control）層、無線リンク制
御（RLC:Radio Link Control）層、パケットデータ収束プロトコル（PDCP:Packet Data Convergence Protocol）層、無線リソース制御（RRC:Radio Resource Control）層の処理
を行なう。上位層２０７は、下位層の処理部を統合して制御するため、上位層２０７と、スケジューリング部２０５、アンテナ２０９、送信部２０１、受信部２０３との間のインターフェースが存在する（ただし、図示しない）。
【０１０８】
上位層２０７は、無線リソース制御部２０７１（制御部とも言う）を有している。無線リソース制御部２０７１は、各種設定情報の管理、システム情報の管理、ページング制御、自局の通信状態の管理、ハンドオーバなどの移動管理、バッファ状況の管理、ユニキャストおよびマルチキャストベアラの接続設定の管理、移動局識別子（UEID）の管理を行なう。
【０１０９】
第１の参照信号の送信と第２の参照信号の送信は、異なる下りリンク信号で基地局装置１から移動局装置３に指示される。すなわち、第１の参照信号の送信指示と第２の参照信号の送信指示は必ずしも同じタイミングで行なわれるわけではない。第１の参照信号（A-SRS）は、基地局装置１から送信するタイミングが指示されるため、移動局装置３は、チ
ャネル測定用の参照信号のダイナミックな送信を行なうことができる。一方、第２の参照信号（P-SRS）は一度設定されると基地局装置１が再設定を行なうまで所定の送信周期で
基地局装置１に送信される。
【０１１０】
図３Ａは、本発明の第１の実施形態における第１の参照信号（A-SRS）の送信と第２の
参照信号（P-SRS）の送信が同じタイミングで生じた場合の移動局装置３の送信制御の処
理手順を示すフローチャートである。移動局装置３は、第１の参照信号の送信と第２の参照信号の送信が同じタイミングで生じたか否かを判定する（ステップＳ１００）。第１の参照信号と第２の参照信号が同じタイミングで生じた場合（ステップＳ１００：YES）、
移動局装置３は、第１の参照信号と第２の参照信号が同じコンポーネントキャリア（CC）に割り当てられているか否かを判定する（ステップＳ１０１）。第１の参照信号と第２の参照信号が同じＣＣに割り当てられている場合（ステップＳ１０１：YES）、移動局装置
３は、第２の参照信号を送信せずに（ドロップし）、第１の参照信号を送信する（ステップＳ１０２）。
【０１１１】
また、第１の参照信号と第２の参照信号が異なるコンポーネントキャリアに割り当てられていた場合（ステップＳ１０１：NO）、移動局装置３は、第１の参照信号の送信と第２の参照信号の送信を同時に行なう（ステップＳ１０３）。第１の参照信号の送信と第２の参照信号の送信が同じタイミングで生じなかった場合（ステップＳ１００：NO）、移動局装置３は、第１の参照信号と第２の参照信号を各々のタイミングで基地局装置１に送信する（ステップＳ１０４）。ただし、例外処理として、同じタイミングで生じた第１の参照信号と第２の参照信号の送信電力の合計が移動局装置３の最大送信電力を超える場合には、移動局装置３は、第１の参照信号と第２の参照信号とが同じタイミングで異なるコンポーネントキャリアに生じていても第２の参照信号を送信せずに、第１の参照信号を送信する。
【０１１２】
第１の実施形態では、基地局装置１で設定されたタイミングで送信される上りリンクチャネル測定用の第１の参照信号と基地局装置１から送信要求が通知された場合に送信される上りリンクチャネル測定用の第２の参照信号が同じタイミングで生じた場合、同じまたは異なるコンポーネントキャリアに割り当てられたかによって、移動局装置３は、第１の参照信号と第２の参照信号を同時送信するか否かを制御することができる。
【０１１３】
第１の参照信号と第２の参照信号は同じコンポーネントキャリアに同じタイミングで生じた場合、第１の参照信号と第２の参照信号のチャネル測定精度は劣化する場合がある。より詳細には、同じコンポーネントキャリアに同じサブフレームで第１の参照信号と第２の参照信号のリソースが割り当てられ、両リソースが重複している場合、第１の参照信号と第２の参照信号が干渉しあい、基地局装置１においてチャネル測定精度が劣化する。そのため、基地局装置１からの送信要求が通知されてから送信される第１の参照信号を優先して送信するように制御すれば、第１の参照信号に対するチャネル測定精度が劣化する場合を避けることができる。
【０１１４】
また、異なるコンポーネントキャリアに第１の参照信号と第２の参照信号が生じた場合、第１の参照信号と第２の参照信号のリソースは重複せず、チャネル測定精度を劣化させることがないため、複数の参照信号を同じタイミングで同時に送信するように制御することができる。第１の参照信号と第２の参照信号の各リソースが同じまたは異なるコンポーネントキャリアに割り当てられたかによって、第１の参照信号と第２の参照信号を同時送信するか否かを制御することにより、両参照信号が干渉しあい、基地局装置１において両参照信号のチャネル測定精度が劣化することを簡単な処理で回避することができる。
【０１１５】
図３Ｂは、本発明の第１の実施形態における第１の参照信号（A-SRS）の送信と第２の
参照信号（P-SRS）の送信が同じタイミングで生じた場合の移動局装置３の送信制御の処
理手順を示すフローチャートである。第１の参照信号と第２の参照信号の各リソースが同じコンポーネントキャリアに割り当てられた場合、両リソースが重複しているか否かの判断を更に行なうことにより、第２の参照信号に対するチャネル測定精度を改善することができる。
【０１１６】
図３Ｂでは、図３ＡのステップＳ１０１とステップＳ１０２の間にＰ−ＳＲＳとＡ−ＳＲＳのリソースが重複しているか否かの判断を行なう（ステップＳ２０２）。Ｐ−ＳＲＳとＡ−ＳＲＳのリソースが重複していると判断した場合（ステップＳ２０２：YES）、Ｐ
−ＳＲＳをドロップし、Ａ−ＳＲＳを送信する（ステップＳ２０３）。Ｐ−ＳＲＳとＡ−ＳＲＳのリソースが重複してないと判断した場合（ステップＳ２０２：NO）、Ｐ−ＳＲＳとＡ−ＳＲＳを同時に送信する（ステップＳ２０４）。これにより、第１の参照信号と第２の参照信号が干渉しあうことを避けつつ、第２の参照信号を送信する機会を更に増やすことができ、基地局装置１において第２の参照信号に対するチャネル測定精度を改善することができる。
【０１１７】
ここで、第１の参照信号の送信と第２の参照信号の送信が同じタイミングで生じるとは、図１０を用いて説明すると、基地局装置１によって第１の参照信号の送信と第２の参照信号の送信とが指示された１４番目のシンボル（斜線部）に、１つの移動局装置が第１の参照信号と第２の参照信号を同時に配置して送信することであり、シンボル単位で送信タイミングが一致していることを指している。移動局装置３は、１４番目のシンボルで第１の参照信号の送信と第２の参照信号の送信とが同じタイミングで生じているか否かを判定することができる。第１の参照信号が送信されるタイミングは、所定のサブフレームで送信されるように予め設定されても良いし、物理下りリンク制御チャネルが通知されてから所定のサブフレーム後に送信されても良いし、第２の参照信号の送信周期に合わせて送信されても良い。
【０１１８】
このように、第１の参照信号の送信と第２の参照信号の送信が同じタイミングで異なるコンポーネントキャリアに生じた場合、第１の参照信号と第２の参照信号の送信を同時に行なうことができる。また、第１の参照信号と第２の参照信号が同じタイミングで生じた時に、同じコンポーネントキャリアに生じているか否かで第１の参照信号と第２の参照信号の同時送信を行なうか否かを判定することができる。
【０１１９】
本発明によれば、移動局装置３は、第１の参照信号と第２の参照信号が同じコンポーネントキャリアに割り当てられたか否かで第１の参照信号の送信と第２の参照信号の送信を同時に行なうか否かを制御することができ、効率的に第１の参照信号と第２の参照信号を基地局装置１に送信することができる。
【０１２０】
＜第２の実施形態＞
次に、本発明の第２の実施形態について説明する。第２の実施形態では、基地局装置１は、物理上りリンク制御チャネルでの送信を指示する情報を含む無線リソース制御信号とチャネル測定用の第１の参照信号の送信を指示する情報を含む物理下りリンク制御チャネルとを移動局装置３に送信する。移動局装置３は、無線リソース制御信号に含まれる物理上りリンク制御チャネルでの送信を指示する情報に従って、物理上りリンク制御チャネルを使用して上りリンク制御情報を基地局装置１に送信し、物理下りリンク制御チャネルに第１の参照信号の送信を指示する情報が含まれている場合には、第１の参照信号を基地局装置１に送信し、第１の参照信号の送信と物理上りリンク制御チャネルでの送信とが同じタイミングで生じた場合、物理上りリンク制御チャネルでの送信を行なうことができる。
【０１２１】
第２の実施形態における機器の機能構成は、第１の実施形態において示したものと同様であるので、ここではその説明を省略する。無線リソース制御信号によって周期的に送信が指示される物理上りリンク制御チャネルでの送信と物理下りリンク制御チャネルによって非周期的に送信が指示されるチャネル測定用の第１の参照信号の送信は、同じタイミングで生じることがある。異なる下りリンク信号で異なる上りリンク信号の送信を基地局装置１から指示された場合、移動局装置３は、送信する上りリンク信号に含まれる情報に基づいて、送信信号の優先度を設定することで効率的な通信を行なうことができる。
【０１２２】
図４は、本発明の第２の実施形態における第１の参照信号（A-SRS）の送信と物理上り
リンク制御チャネル（PUCCH）での送信が同じタイミングで生じた場合の移動局装置３の
送信制御の処理手順を示すフローチャートである。移動局装置３は、第１の参照信号の送信と物理上りリンク制御チャネルでの送信が同じタイミングで生じたか否かを判定する（ステップＳ３００）。第１の参照信号の送信と物理上りリンク制御チャネルでの送信が同じタイミングで生じた場合（ステップＳ３００：YES）、移動局装置３は、第１の参照信
号と物理上りリンク制御チャネルが同じコンポーネントキャリア（CC）に割り当てられているか否かを判定する（ステップＳ３０１）。
【０１２３】
第１の参照信号と物理上りリンク制御チャネルが同じＣＣに割り当てられている場合（ステップＳ３０１：YES）、移動局装置３は、第１の参照信号を送信せずに（ドロップし
）、物理上りリンク制御チャネルを送信する（ステップＳ３０２）。また、第１の参照信号と物理上りリンク制御チャネルが異なるコンポーネントキャリアに割り当てられていた場合（ステップＳ３０１：NO）、移動局装置３は、第１の参照信号の送信と物理上りリンク制御チャネルでの送信を同時に行なう（ステップＳ３０３）。第１の参照信号の送信と物理上りリンク制御チャネルでの送信が同じタイミングで生じなかった場合（ステップＳ３００：NO）、移動局装置３は、第１の参照信号と物理上りリンク制御チャネルを各々のタイミングで送信する（ステップＳ３０４）。ただし、例外処理として、同じタイミングで生じた第１の参照信号と物理上りリンク制御チャネルの送信電力の合計が移動局装置３の最大送信電力を超える場合、移動局装置３は、第１の参照信号と物理上りリンク制御チャネルとが同じタイミングで異なるコンポーネントキャリアに生じていても第１の参照信号を送信せずに、物理上りリンク制御チャネルを送信する。
【０１２４】
移動局装置３は、第１の参照信号の送信と物理上りリンク制御チャネルでの送信が同じタイミングで生じた場合、マルチキャリア送信によるＰＡＰＲ（Peak-to-Average Power Ratio：ピーク電力対平均電力比）の上昇を抑えるために、物理上りリンク制御チャネルでの送信を優先する。ここでＰＡＰＲとは送信信号のピーク電力値と平均電力値との比である。ＰＡＰＲが高い信号を増幅器に入力する場合、増幅による非線形歪みが生じ、通信品質が劣化してしまう。また、非線形歪みを回避するために、最大送信電力から高い出力バックオフを設けると、電力効率が著しく低下してしまう。また、第１の参照信号の送信と物理上りリンク制御チャネルでの送信が同じタイミングで異なるコンポーネントキャリアに生じた場合、上りリンク信号の通信品質が劣化しないため、同時に送信することができる。
【０１２５】
このように、第２の実施形態では、第１の参照信号の送信と物理上りリンク制御チャネルでの送信が同じタイミングで生じた場合、移動局装置３は、第１の参照信号を送信せずに（ドロップし）、物理上りリンク制御チャネルでの送信を行なうように制御することができる。また、移動局装置３は、第１の参照信号の送信と物理上りリンク制御チャネルでの送信が同じタイミングで生じたか否かで同時送信するか否かを判定することができる。
【０１２６】
本発明によれば、第１の参照信号の送信と物理上りリンク制御チャネルでの送信が同じタイミングで生じた場合の移動局装置３の送信制御方法を提供でき、物理上りリンク制御チャネルの通信品質を維持することができる。また、移動局装置３は、第１の参照信号と物理上りリンク制御チャネルが同じコンポーネントキャリアに割り当てられているか否かによって同時送信をするか否かを判定することで、第１の参照信号の送信と物理上りリンク制御チャネルでの送信を効率的に行なうことができる。
【０１２７】
＜第３の実施形態＞
次に、本発明の第３の実施形態について説明する。基地局装置１は、チャネル測定用の第１の参照信号の送信を指示する情報を含む物理下りリンク制御チャネルとチャネル測定用の第２の参照信号の送信を指示する情報と物理上りリンク制御チャネルでの送信を指示する情報とを含む無線リソース制御信号を移動局装置３に送信する。移動局装置３は、物理下りリンク制御チャネルに第１の参照信号の送信を指示する情報が含まれている場合には、第１の参照信号を基地局装置１に送信し、無線リソース制御信号に含まれる第２の参照信号の送信を指示する情報に従って、第２の参照信号を基地局装置１に送信し、無線リソース制御信号に含まれる前記物理上りリンク制御チャネルでの送信を指示する情報に従って、物理上りリンク制御チャネルを使用して上りリンク制御情報を前記基地局装置１に送信し、第１の参照信号の送信と第２の参照信号の送信と物理上りリンク制御チャネルでの送信とが同じタイミングで生じた場合、物理上りリンク制御チャネルでの送信を行なうことができる。
【０１２８】
第３の実施形態における機器の機能構成は、第１の実施形態において示したものと同様であるので、ここではその説明を省略する。第３の実施形態では、第１の参照信号の送信と第２の参照信号の送信と物理上りリンク制御チャネルでの送信とが同じタイミングで生じた場合の移動局装置３の送信制御について示す。
【０１２９】
図５は、本発明の第３の実施形態における第１の参照信号（A-SRS）の送信と第２の参
照信号（P-SRS）の送信と物理上りリンク制御チャネル（PUCCH）での送信が同じタイミングで生じた場合の移動局装置３の送信制御の処理手順を示すフローチャートである。移動局装置３は、第１の参照信号の送信と第２の参照信号の送信と物理上りリンク制御チャネルでの送信が同じタイミングで生じたか否かを判定する（ステップＳ４００）。第１の参照信号の送信と第２の参照信号の送信と物理上りリンク制御チャネルでの送信が同じタイミングで生じた場合（ステップＳ４００：YES）、移動局装置３は、第１の参照信号と第
２の参照信号と物理上りリンク制御チャネルが同じコンポーネントキャリア（CC）に割り当てられているか否かを判定する（ステップＳ４０１）。第１の参照信号と第２の参照信号と物理上りリンク制御チャネルが同じＣＣに割り当てられている場合（ステップＳ４０１：YES）、移動局装置３は、第１の参照信号と第２の参照信号を送信せずに（ドロップ
し）、物理上りリンク制御チャネルを送信する（ステップＳ４０２）。
【０１３０】
また、第１の参照信号と第２の参照信号と物理上りリンク制御チャネルが同じコンポーネントキャリアに割り当てられていない場合（ステップＳ４０１：NO）、移動局装置３は、第１の参照信号と第２の参照信号と物理上りリンク制御チャネルがそれぞれ異なるコンポーネントキャリアに割り当てられているか否かを判定する（ステップＳ４０３）。第１の参照信号と第２の参照信号と物理上りリンク制御チャネルがそれぞれ異なるコンポーネントキャリアに割り当てられている場合（ステップＳ４０３：YES）、移動局装置３は、
第１の参照信号と第２の参照信号と物理上りリンク制御チャネルとを同時に送信する（ステップＳ４０４）。
【０１３１】
第１の参照信号と第２の参照信号と物理上りリンク制御チャネルのうち、いずれか２つが同じコンポーネントキャリアに割り当てられている場合（ステップＳ４０３：NO）、移動局装置３は、第１や第２の実施形態で説明した処理を行なうため、ここでの説明は省略する。第１の参照信号の送信と第２の参照信号の送信と物理上りリンク制御チャネルでの送信が同じタイミングで生じなかった場合（ステップＳ４００：NO）、移動局装置３は、各々のタイミングで第１の参照信号と第２の参照信号と物理上りリンク制御チャネルを送信する（ステップＳ４０５）。ただし、例外処理として、同じタイミングで生じた第１の参照信号と第２の参照信号と物理上りリンク制御チャネルの送信電力の合計が移動局装置３の最大送信電力を超える場合、移動局装置３は、第１の参照信号と第２の参照信号と物理上りリンク制御チャネルとが同じタイミングで異なるコンポーネントキャリアに生じていても第１の参照信号と第２の参照信号を送信せずに、物理上りリンク制御チャネルを送信する。
【０１３２】
また、異なるコンポーネントキャリアに第１の参照信号の送信と第２の参照信号の送信と物理上りリンク制御チャネルでの送信が同じタイミングで生じた場合、各コンポーネントキャリアにおける第１の参照信号と第２の参照信号のチャネル測定精度は劣化しないため、移動局装置３は第１の参照信号の送信と第２の参照信号の送信と物理上りリンク制御チャネルでの送信を同時に行なうことができる。
【０１３３】
このように、第１の参照信号の送信と第２の参照信号の送信と物理上りリンク制御チャネルでの送信が同じタイミングで生じた場合、移動局装置３は、物理上りリンク制御チャネルでの送信を最優先することで、物理上りリンク制御チャネルの通信品質を維持することができる。また、移動局装置３は、第１の参照信号の送信と第２の参照信号の送信と物理上りリンク制御チャネルでの送信が同じコンポーネントキャリアで生じたか否かによって各信号の送信を同時に行なうか否かを制御することができる。
【０１３４】
本発明によれば、第１の参照信号の送信と第２の参照信号の送信と物理上りリンク制御チャネルでの送信が同じタイミングで生じた場合でも第１の参照信号と第２の参照信号をドロップすることで、物理上りリンク制御チャネルの通信品質を維持しつつ、第１の参照信号と第２の参照信号と物理上りリンク制御チャネルが異なるコンポーネントキャリアに割り当てられた場合には、各信号の送信を同時に行なうことで、第１の参照信号の送信と第２の参照信号の送信と物理上りリンク制御チャネルでの送信を効率良く行なうことができる。
【０１３５】
＜第４の実施形態＞
次に、本発明の第４の実施形態について説明する。まず、基本形態について説明し、その後、変形例について説明する。第４の実施形態の基本形態では、基地局装置１は、チャネル測定用の第１の参照信号の送信を指示する情報を含む物理下りリンク制御チャネルとチャネル測定用の第２の参照信号の送信を指示する情報を含む無線リソース制御信号と複数の上りリンクチャネルによる同時送信を許可する情報を含む信号を移動局装置３に送信する。移動局装置３は、物理下りリンク制御チャネルに第１の参照信号の送信を指示する情報が含まれている場合には、第１の参照信号を基地局装置１に送信し、無線リソース制御信号に含まれる第２の参照信号の送信を指示する情報に従って、第２の参照信号を前記基地局装置１に送信し、複数の上りリンクチャネルによる同時送信を許可する情報に従って、第１の参照信号の送信と第２の参照信号の送信が同じタイミングで生じた場合、第１の参照信号と第２の参照信号の送信とを同時に行なうことができる。
【０１３６】
第４の実施形態の基本形態における機器の機能構成は、第１の実施形態において示したものと同様であるので、ここではその説明を省略する。基地局装置１が移動局装置３に対して複数の上りリンクチャネルによる同時送信を許可した場合の移動局装置３の送信制御の処理手順について示す。複数の上りリンクチャネルの同時送信は、同じまたは異なるコンポーネントキャリアに配置されているかに因らず（上りリンクチャネルを配置するコンポーネントキャリア数に因らず）、複数のＰＵＳＣＨの同時送信や複数のＰＵＣＣＨの同時送信、ＰＵＳＣＨとＰＵＣＣＨの同時送信などを行なうことである。
【０１３７】
上記複数の上りリンクチャネルによる同時送信を許可する情報は、同時送信制御情報に含まれている。同時送信制御情報に複数チャネルによる同時送信を許可するという情報が含まれている場合には、移動局装置３は、複数の上りリンクチャネルの同時送信を行なうことができ、同時送信制御情報に複数チャネルによる同時送信を許可しないという情報が含まれている場合には、移動局装置３は、複数チャネルによる同時送信を行なわない。なお、第４の実施形態における同時送信制御情報は、報知チャネルを使用して送信されても良いし、無線リソース制御信号を使用して送信されても良いし、物理下りリンク制御チャネルを使用して送信されても良い。
【０１３８】
図６は、本発明の第４の実施形態の基本形態における第１の参照信号（A-SRS）の送信
と第２の参照信号（P-SRS）の送信が同じタイミングで生じた場合の移動局装置３の送信
制御の処理手順を示したフローチャートである。移動局装置３は、第１の参照信号の送信と第２の参照信号の送信が同じタイミングで生じたか否かを判定する（ステップＳ５００）。第１の参照信号と第２の参照信号が同じタイミングで生じた場合（ステップＳ５００：YES）、移動局装置３は、基地局装置１から送信された同時送信制御情報に複数の上り
リンクチャネルによる同時送信を許可するという情報が含まれているか否かを判定する（ステップＳ５０１）。下りリンク信号に複数の上りリンクチャネルによる同時送信を許可する情報が含まれている場合（ステップＳ５０１：YES）、移動局装置３は、第１の参照
信号と第２の参照信号とが同じ無線リソースを使用して配置されているか否かを判定する（ステップＳ５０２）。
【０１３９】
第１の参照信号と第２の参照信号とが同じ無線リソースを使用して配置されている場合（ステップＳ５０２：YES）、第２の参照信号を送信せずに（ドロップし）、第１の参照
信号を送信する（ステップＳ５０３）。同時送信制御情報に複数の上りリンクチャネルによる同時送信を許可しないという情報が含まれている場合（ステップＳ５０１：NO）、移動局装置３は、第２の参照信号を送信せずに、第１の参照信号を送信する（ステップＳ５０３）。第１の参照信号と第２の参照信号とが異なる無線リソースを使用して配置された場合（ステップＳ５０２：NO）、移動局装置３は、第１の参照信号と第２の参照信号を同時に送信する（ステップＳ５０４）。第１の参照信号の送信と第２の参照信号の送信が同じタイミングで生じなかった場合（ステップＳ５００：NO）、移動局装置３は、第１の参照信号と第２の参照信号を各々のタイミングで基地局装置１に送信する（ステップＳ５０５）。ただし、例外処理として、同じタイミングで生じた第１の参照信号と物理上りリンク制御チャネルの送信電力の合計が移動局装置３の最大送信電力を超える場合、移動局装置３は、複数の上りリンクチャネルによる同時送信が許可されていても第２の参照信号を送信せずに、第１の参照信号を送信する。
【０１４０】
＜第４の実施形態の第１の変形例＞
次に、本発明の第４の実施形態の第１の変形例について説明する。第４の実施形態の第１の変形例では、基地局装置１は、複数の上りリンクチャネルによる同時送信を許可する情報を含む信号を移動局装置３に送信する。移動局装置３は、複数の上りリンクチャネルによる同時送信を許可する情報に従って、第１の参照信号の送信と物理上りリンク制御チャネルでの送信が同じタイミングで生じた場合、第１の参照信号と物理上りリンク制御チャネルでの送信とを同時に行なうことができる。
【０１４１】
第４の実施形態の第１の変形例における機器の機能構成は、第１の実施形態において示したものと同様であるので、ここではその説明を省略する。基地局装置１が移動局装置３に対して複数の上りリンクチャネルによる同時送信を許可した場合の移動局装置３の送信制御の処理手順について示す。
【０１４２】
図７は、本発明の第４の実施形態の第１の変形例における第１の参照信号（A-SRS）の
送信と物理上りリンク制御チャネル（PUCCH）での送信が同じタイミングで生じた場合の
移動局装置３の送信制御の処理手順を示したフローチャートである。移動局装置３は、第１の参照信号の送信と物理上りリンク制御チャネルでの送信が同じタイミングで生じたか否かを判定する（ステップＳ６００）。第１の参照信号の送信と物理上りリンク制御チャネルでの送信が同じタイミングで生じた場合（ステップＳ６００：YES）、移動局装置３
は、基地局装置１から送信された同時送信制御情報に複数の上りリンクチャネルによる同時送信を許可するという情報が含まれているか否かを判定する（ステップＳ６０１）。下りリンク信号に複数の上りリンクチャネルによる同時送信を許可する情報が含まれている場合（ステップＳ６０１：YES）、移動局装置３は、第１の参照信号と物理上りリンク制
御チャネルを同時に送信する（ステップＳ６０２）。同時送信制御情報に複数の上りリンクチャネルによる同時送信を許可しないという情報が含まれている場合（ステップＳ６０１：NO）、移動局装置３は、第１の参照信号を送信せずに、物理上りリンク制御チャネルを送信する（ステップＳ６０３）。
【０１４３】
第１の参照信号の送信と物理上りリンク制御チャネルでの送信が同じタイミングで生じなかった場合（ステップＳ６００：NO）、移動局装置３は、第１の参照信号と物理上りリンク制御チャネルを各々のタイミングで送信する（ステップＳ６０４）。ただし、例外処理として、同じタイミングで生じた第１の参照信号と物理上りリンク制御チャネルの送信電力の合計が移動局装置３の最大送信電力を超える場合、移動局装置３は、複数の上りリンクチャネルによる同時送信が許可されていても第１の参照信号を送信せずに、物理上りリンク制御チャネルを送信する。
【０１４４】
＜第４の実施形態の第２の変形例＞
次に、本発明の第４の実施形態の第２の変形例について説明する。第４の実施形態の第２の変形例では、基地局装置１は、複数の上りリンクチャネルによる同時送信を許可する情報を含む信号を移動局装置３に送信する。移動局装置３は、複数の上りリンクチャネルによる同時送信を許可する情報に従って、第１の参照信号の送信と第２の参照信号の送信と物理上りリンク制御チャネルでの送信とが同じタイミングで生じた場合、第１の参照信号の送信と物理上りリンク制御チャネルでの送信とを同時に行なうことができる。
【０１４５】
第４の実施形態における機器の機能構成は、第１の実施形態において示したものと同様であるので、ここではその説明を省略する。第４の実施形態では、基地局装置１が移動局装置３に対して複数の上りリンクチャネルによる同時送信を許可した場合の移動局装置３の送信制御の処理手順について示す。複数の上りリンクチャネルの同時送信としては、複数のＰＵＳＣＨの同時送信や複数のＰＵＣＣＨの同時送信、ＰＵＳＣＨとＰＵＣＣＨの同時送信などがある。
【０１４６】
図８は、本発明の第４の実施形態の第２の変形例における第１の参照信号（A-SRS）の
送信と第２の参照信号（P-SRS）の送信と物理上りリンク制御チャネル（PUCCH）での送信が同じタイミングで生じた場合の移動局装置３の送信制御の処理手順を示したフローチャートである。移動局装置３は、第１の参照信号の送信と第２の参照信号の送信と物理上りリンク制御チャネルでの送信が同じタイミングで生じたか否かを判定する（ステップＳ７００）。第１の参照信号の送信と第２の参照信号の送信と物理上りリンク制御チャネルでの送信が同じタイミングで生じた場合（ステップＳ７００：YES）、移動局装置３は、基
地局装置１から送信された下りリンク信号に複数の上りリンクチャネルの同時送信を許可する情報が含まれているか否かを判定する（ステップＳ７０１）。下りリンク信号に複数の上りリンクチャネルによる同時送信を許可する情報が含まれている場合（ステップＳ７０１：YES）、移動局装置３は、第１の参照信号と第２の参照信号とが同じ無線リソース
を使用して配置されているか否かを判定する（ステップＳ７０２）。
【０１４７】
第１の参照信号と第２の参照信号が同じ無線リソースを使用して配置されている場合（ステップＳ７０２：YES）、移動局装置３は、第２の参照信号を送信せずに（ドロップし
）、第１の参照信号と物理上りリンク制御チャネルを送信する（ステップＳ７０３）。第１の参照信号と第２の参照信号が異なる無線リソースを使用して配置される場合（ステップＳ７０２：NO）、移動局装置３は、第１の参照信号と第２の参照信号と物理上りリンク制御チャネルを同時に送信する（ステップＳ７０４）。
【０１４８】
同時送信制御情報に複数の上りリンクチャネルによる同時送信を許可しないという情報が含まれている場合（ステップＳ７０１：NO）、移動局装置３は、第１の参照信号と第２の参照信号を送信せずに（ドロップし）、物理上りリンク制御チャネルを送信する（ステップＳ７０５）。第１の参照信号の送信と第２の参照信号の送信と物理上りリンク制御チャネルでの送信が同じタイミングで生じなかった場合（ステップＳ７００：NO）、移動局装置３は、各々のタイミングで第１の参照信号と第２の参照信号と物理上りリンク制御チャネルを送信する（ステップＳ７０６）。ただし、例外処理として、同じタイミングで生じた第１の参照信号と第２の参照信号と物理上りリンク制御チャネルの送信電力の合計が移動局装置の最大送信電力を超える場合、移動局装置３は、複数の上りリンクチャネルによる同時送信が許可されていても第１の参照信号と第２の参照信号を送信せずに、物理上りリンク制御チャネルを送信する。
【０１４９】
基地局装置１が複数の上りリンクチャネルによる同時送信を許可するか否かを設定することによって移動局装置３は、チャネル測定用の参照信号の送信と物理上りリンク制御チャネルでの送信が同じタイミングで生じた場合の処理を決定することができる。
【０１５０】
図９は、本発明の第４の実施形態において、第１の参照信号（A-SRS）と第２の参照信
号（P-SRS）と物理上りリンク制御チャネル（PUCCH）の送信タイミングの一例を示した図である。サブフレーム＃８のように第１の参照信号の送信と第２の参照信号の送信と物理上りリンク制御チャネルでの送信が同じタイミングで生じた場合、第１の参照信号の送信と第２の参照信号の送信と物理上りリンク制御チャネルでの送信とがそれぞれ異なるコンポーネントキャリアに生じていれば、移動局装置３は、第１の参照信号の送信と第２の参照信号の送信と物理上りリンク制御チャネルでの送信とを同時に行なう。第１の参照信号の送信と第２の参照信号の送信と物理上りリンク制御チャネルでの送信とが同じコンポーネントキャリアに生じていれば、移動局装置３が、第１の参照信号と第２の参照信号と物理上りリンク制御チャネルを同時に送信すると、これらの通信品質は劣化してしまう。本発明の第４の実施形態では、移動局装置３は、マルチキャリア送信によるＰＡＰＲの上昇を抑えるために、第１の参照信号と第２の参照信号を送信せずに（ドロップし）、物理上りリンク制御チャネルを送信する。
【０１５１】
サブフレーム＃３、＃６、＃１８のように第１の参照信号の送信、第２の参照信号の送信、物理上りリンク制御チャネルでの送信のうち、いずれか２つの信号の送信が同じタイミングで生じた場合、各信号の送信が異なるコンポーネントキャリアに生じていれば、移動局装置３は、各信号の送信を同時に行ない、同じコンポーネントキャリアに生じていれば、移動局装置３は、サブフレーム＃３の時は第１の参照信号を、サブフレーム＃６の時は第２の参照信号を、サブフレーム＃１８の時は第２の参照信号を送信しない（ドロップする）。すなわち、優先度の高い信号を基地局装置１に送信する。
【０１５２】
また、サブフレーム＃０、＃２、＃４、＃１０、＃１２、＃１３、＃１４、＃１５、＃１６のように第１の参照信号の送信、第２の参照信号の送信、物理上りリンク制御チャネルでの送信のうち、いずれか１つの上りリンク信号の送信しか生じなかった場合、移動局装置３は、各信号がどのコンポーネントキャリアに割り当てられていようと、各々の送信タイミングで各信号を送信することができる。ただし、基地局装置１から複数の上りリンクチャネルによる同時送信を許可する情報が送信された場合には、第１の参照信号と第２の参照信号が同じ無線リソースを使用して配置されていなければ、移動局装置３は、各信号が同じタイミングで生じても同時送信することができる。
【０１５３】
このように、第４の実施形態では、基地局装置１から複数の上りリンクチャネルによる同時送信を許可する情報が設定されることで同じタイミングでチャネル測定用の第１の参照信号の送信と第２の参照信号の送信と物理上りリンク制御チャネルでの送信が生じた場合でも、移動局装置３は同時に送信を行なうことができる。本発明によれば、移動局装置３は、効率良く短時間でチャネル測定用の参照信号の送信と物理上りリンク制御チャネルでの送信を行なうことができる。なお、第１から第４の実施形態において、ＰＵＣＣＨで送信される上りリンク制御情報は、ＳＲ、ＡＣＫ／ＮＡＣＫ、ＣＱＩを含んで送信されても良い。
【０１５４】
なお、上述した実施形態における基地局装置１と移動局装置３の一部の機能をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１５５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５６】
また、上述した実施形態における移動局装置３および基地局装置１の一部、または全部を典型的には集積回路であるＬＳＩとして実現してもよい。移動局装置３および基地局装置１の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１５７】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０１５８】
１  基地局装置
３  移動局装置
１０１  送信部
１０３  受信部
１０５  スケジューリング部
１０７  上位層
１０９  アンテナ
２０１  送信部
２０３  受信部
２０５  スケジューリング部
２０６  参照信号生成部
２０７  上位層
２０９  アンテナ
１０１１  データ制御部
１０１３  変調部
１０１５  無線送信部
１０３１  無線受信部
１０３３  復調部
１０３５  データ抽出部
１０７１  無線リソース制御部
２０１１  データ制御部
２０１３  変調部
２０１５  無線送信部
２０３１  無線受信部
２０３３  復調部
２０３５  データ抽出部
２０５１  参照信号制御部
２０７１  無線リソース制御部
【図１】
0005575819.tif 000002
【図２】
0005575819.tif 000003
【図３Ａ】
0005575819.tif 000004
【図３Ｂ】
0005575819.tif 000005
【図４】
0005575819.tif 000006
【図５】
0005575819.tif 000007
【図６】
0005575819.tif 000008
【図７】
0005575819.tif 000009
【図８】
0005575819.tif 000010
【図９】
0005575819.tif 000011
【図１０】
0005575819.tif 000012